(57)【要約】  本発明の実施形態は、データ伝送方法、ネットワーク装置、および端末装置を提供する。ネットワーク装置は、端末装置群の要件に基づいてN個のスケジューリング情報群を構成し、N個のスケジューリング情報群のうちのM個のスケジューリング情報群に基づいて少なくとも1片のダウンリンクデータを構成し、第1の伝送時間単位で第1のダウンリンクデータを第1の端末装置に送信する。これに対応して、第1の端末装置は、N個のスケジューリング情報群を決定し、N個のスケジューリング情報群に基づいて第1の伝送時間単位で第1のダウンリンクデータを検出する。このようにして、第1のダウンリンクデータは、複数回の伝送と1回の検出に成功することで、正常に伝送され得るので、信頼性の高いデータ伝送が実現される。さらに、大量の制御オーバヘッドを導入することなく、PDCCH動的スケジューリングの低い信頼性が回避されるだけでなく、リンクアダプテーションも得られる。
2020502874.tif 000002
【特許請求の範囲】
【請求項１】
ネットワーク装置によって、N個のスケジューリング情報群を構成するステップであって、Nは正の整数である、ステップと、
前記ネットワーク装置によって、前記N個のスケジューリング情報群のうちのM個のスケジューリング情報群に基づいて第1のダウンリンクデータを構成するステップであって、前記第1のダウンリンクデータは少なくとも1片のダウンリンクデータを含み、MはN以下の正の整数である、ステップと、
前記ネットワーク装置によって、第1の伝送時間単位で前記第1のダウンリンクデータを前記第1の端末装置に送信するステップと
を含む、データ伝送方法。
【請求項２】
前記第1のダウンリンクデータがM片のダウンリンクデータを含み、前記M片のダウンリンクデータは同じ情報を搬送し、前記ネットワーク装置によって、前記N個のスケジューリング情報群のうちのM個のスケジューリング情報群に基づいて第1のダウンリンクデータを構成する前記ステップは、
前記ネットワーク装置によって、前記M個のスケジューリング情報群に示されるM個の変調符号化方式MCSに基づいて、前記M片のダウンリンクデータを個別に変調するステップ、および／または
前記ネットワーク装置によって、前記M片のダウンリンクデータを、前記M個のスケジューリング情報群に示されるM個のチャネルリソースにそれぞれマッピングするステップを含む、請求項1に記載の方法。
【請求項３】
前記M個のスケジューリング情報群が、前記N個のスケジューリング情報群のうちのi番目のスケジューリング情報群を含み、前記i番目のスケジューリング情報群はSi個のチャネルリソースを示すか、または前記i番目のスケジューリング情報群はSi個のチャネルリソースおよびSi個のMCSを示すか、または前記i番目のスケジューリング情報群はSi個のチャネルリソース、Si個のMCS、およびSi個の冗長バージョンRVを示し、
Siは1より大きい整数である、請求項1に記載の方法。
【請求項４】
前記第1のダウンリンクデータがSi片のダウンリンクデータを含み、前記ネットワーク装置によって、前記N個のスケジューリング情報群のうちのM個のスケジューリング情報群に基づいて第1のダウンリンクデータを構成する前記ステップは、
前記ネットワーク装置によって、前記i番目のスケジューリング情報群に基づいて前記Si片のダウンリンクデータを構成するステップであって、前記Si片のダウンリンクデータは同じ情報を搬送する、ステップを含む、請求項3に記載の方法。
【請求項５】
前記第1のダウンリンクデータが、Sj片のダウンリンクデータをさらに含み、前記M個のスケジューリング情報群は、前記N個のスケジューリング情報群のうちのj番目のスケジューリング情報群を含み、前記j番目のスケジューリング情報群および前記i番目のスケジューリング情報群は異なるスケジューリング情報であり、前記ネットワーク装置によって、前記N個のスケジューリング情報群のうちのM個のスケジューリング情報群に基づいて第1のダウンリンクデータを構成する前記ステップは、
前記ネットワーク装置によって、前記j番目のスケジューリング情報群に基づいて前記Sj片のダウンリンクデータを構成するステップであって、前記Sj片のダウンリンクデータは同じ情報を搬送する、ステップを含み、
前記Sj片のダウンリンクデータで搬送される前記情報は、前記Si片のダウンリンクデータで搬送される前記情報とは異なり、Sjは正の整数である、請求項3または4に記載の方法。
【請求項６】
前記ネットワーク装置によって、前記N個のスケジューリング情報群のうちのP個のスケジューリング情報群に基づいて第2のダウンリンクデータを構成するステップであって、PはN以下の正の整数である、ステップと、
前記ネットワーク装置によって、第2の伝送時間単位で前記第2のダウンリンクデータを第2の端末装置に送信するステップと
をさらに含む、請求項1から5のいずれか一項に記載の方法。
【請求項７】
前記第1の伝送時間単位が前記第2の伝送時間単位と重ならず、前記M個のスケジューリング情報群は、前記P個のスケジューリング情報群と同じ、部分的に同じ、または異なるか、あるいは
前記第1の伝送時間単位が前記第2の伝送時間単位と重なるかまたは部分的に重なり、前記M個のスケジューリング情報群は、前記P個のスケジューリング情報群と異なる、
請求項6に記載の方法。
【請求項８】
前記ネットワーク装置によって、第1の伝送時間単位で前記第1のダウンリンクデータを前記第1の端末装置に送信する前記ステップの前に、前記方法が、
前記ネットワーク装置によって、前記第1の端末装置および／または前記第2の端末装置にスケジューリング情報指示シグナリングを送信するステップであって、前記スケジューリング情報指示シグナリングは、前記N個のスケジューリング情報群を指示するために使用され、前記スケジューリング情報指示シグナリングは、上位レイヤシグナリングまたは物理レイヤシグナリングである、ステップをさらに含む、請求項1から7のいずれか一項に記載の方法。
【請求項９】
前記ネットワーク装置によって、前記第1の伝送時間単位でダウンリンクデータ指示シグナリングを前記第1の端末装置に送信するステップであって、前記ダウンリンクデータ指示シグナリングは、前記第1のダウンリンクデータが前記第1の伝送時間内に送信されるかどうかを示すために使用される、ステップ
をさらに含む、請求項1から8のいずれか一項に記載の方法。
【請求項１０】
第1の端末装置によって、N個のスケジューリング情報群を決定するステップであって、Nは正の整数である、ステップと、
前記第1の端末装置によって、前記N個のスケジューリング情報群に基づいて第1の伝送時間単位で第1のダウンリンクデータを検出するステップであって、前記第1のダウンリンクデータは少なくとも1片のダウンリンクデータを含む、ステップと
を含む、データ伝送方法。
【請求項１１】
前記第1のダウンリンクデータが、前記N個のスケジューリング情報群のうちのM個のスケジューリング情報群に基づいて前記ネットワーク装置によって構成され、MはN以下の正の整数である、請求項10に記載の方法。
【請求項１２】
前記第1のダウンリンクデータがM片のダウンリンクデータを含み、前記M片のダウンリンクデータは同じ情報を搬送し、前記第1の端末装置によって、前記N個のスケジューリング情報群に基づいて第1の伝送時間単位で第1のダウンリンクデータの検出する前記ステップは、
前記第1の伝送時間単位で前記第1の端末装置によって、前記M個のスケジューリング情報群に示されるM個のチャネルリソースから前記M片のダウンリンクデータを抽出するステップ、および／または
前記第1の端末装置によって、前記M個のスケジューリング情報群に示されるM個のMCSに基づいて、前記第1の伝送時間単位で前記M片のダウンリンクデータを復調するステップを含む、請求項11に記載の方法。
【請求項１３】
前記M個のスケジューリング情報群が、前記N個のスケジューリング情報群のうちのi番目のスケジューリング情報群を含み、前記i番目のスケジューリング情報群はSi個のチャネルリソースを示すか、または前記i番目のスケジューリング情報群はSi個のチャネルリソースおよびSi個のMCSを示すか、または前記i番目のスケジューリング情報群はSi個のチャネルリソース、Si個のMCS、およびSi個の冗長バージョンRVを示し、
Siは1より大きい整数である、請求項11に記載の方法。
【請求項１４】
前記第1のダウンリンクデータがSi片のダウンリンクデータを含み、前記第1の端末装置によって、前記N個のスケジューリング情報群に基づいて第1の伝送時間単位で第1のダウンリンクデータを検出する前記ステップは、
前記第1の端末装置によって、前記i番目のスケジューリング情報群に基づいて前記Si片のダウンリンクデータを検出するステップであって、前記Si片のダウンリンクデータは同じ情報を搬送する、ステップを含む、請求項13に記載の方法。
【請求項１５】
前記第1のダウンリンクデータがSj片のダウンリンクデータをさらに含み、前記M個のスケジューリング情報群は、前記N個のスケジューリング情報群のうちのj番目のスケジューリング情報群を含み、前記j番目のスケジューリング情報群および前記i番目のスケジューリング情報群は異なるスケジューリング情報であり、前記第1の端末装置によって、前記N個のスケジューリング情報群に基づいて第1の伝送時間単位で第1のダウンリンクデータを検出する前記ステップは、
前記第1の端末装置によって、前記j番目のスケジューリング情報群に基づいて前記Sj片のダウンリンクデータを検出するステップであって、前記Sj片のダウンリンクデータは同じ情報を搬送する、ステップを含み、
前記Sj片のダウンリンクデータで搬送される前記情報は、前記Si片のダウンリンクデータで搬送される前記情報とは異なり、Sjは正の整数である、請求項13または14に記載の方法。
【請求項１６】
前記第1の端末装置によって、前記N個のスケジューリング情報群に基づいて第1の伝送時間単位で第1のダウンリンクデータを検出する前記ステップの前に、
前記第1の端末装置によって、前記ネットワーク装置によって送信されたスケジューリング情報指示シグナリングを受信するステップであって、前記スケジューリング情報指示シグナリングは、前記N個のスケジューリング情報群を指示するために使用され、前記スケジューリング情報指示シグナリングは、上位レイヤシグナリングまたは物理レイヤシグナリングである、ステップをさらに含む、請求項10から15のいずれか一項に記載の方法。
【請求項１７】
前記第1の端末装置によって、前記N個のスケジューリング情報群に基づいて第1の伝送時間単位で第1のダウンリンクデータを検出する前記ステップの前に、
前記第1の端末装置によって、前記第1の伝送時間単位で前記ネットワーク装置によって送信されたダウンリンクデータ指示シグナリングを受信するステップであって、前記ダウンリンクデータ指示シグナリングは、前記第1のダウンリンクデータが前記第1の伝送時間内に送信されるかどうかを示すために使用される、ステップをさらに含む、請求項10から16のいずれか一項に記載の方法。
【請求項１８】
N個のスケジューリング情報群を構成し、Nは正の整数であり、前記N個のスケジューリング情報群のうちのM個のスケジューリング情報群に基づいて第1のダウンリンクデータを構成し、前記第1のダウンリンクデータは少なくとも1片のダウンリンクデータを含み、MはN以下の正の整数である、ように構成された処理モジュールと、
第1の伝送時間単位で前記第1のダウンリンクデータを前記第1の端末装置に送信するように構成されたトランシーバモジュールと
を備える、ネットワーク装置。
【請求項１９】
前記第1のダウンリンクデータがM片のダウンリンクデータを含み、前記M片のダウンリンクデータは同じ情報を搬送し、前記N個のスケジューリング情報群のうちの前記M個のスケジューリング情報群に基づいて前記第1のダウンリンクデータを構成するとき、前記処理モジュールは、前記M個のスケジューリング情報群に示されるM個の変調符号化方式MCSに基づいて、前記M片のダウンリンクデータを特に個別に変調する、および／または前記M片のダウンリンクデータを、前記M個のスケジューリング情報群に示されるM個のチャネルリソースにそれぞれマッピングする、請求項18に記載の装置。
【請求項２０】
前記M個のスケジューリング情報群が、前記N個のスケジューリング情報群のうちのi番目のスケジューリング情報群を含み、前記i番目のスケジューリング情報群はSi個のチャネルリソースを示すか、または前記i番目のスケジューリング情報群はSi個のチャネルリソースおよびSi個のMCSを示すか、または前記i番目のスケジューリング情報群はSi個のチャネルリソース、Si個のMCS、およびSi個の冗長バージョンRVを示し、
Siは1より大きい整数である、請求項18に記載の装置。
【請求項２１】
前記第1のダウンリンクデータがSi片のダウンリンクデータを含み、前記処理モジュールは、前記N個のスケジューリング情報群のうちの前記M個のスケジューリング情報群に基づいて前記第1のダウンリンクデータを構成するときに前記i番目のスケジューリング情報群に基づいて前記Si片のダウンリンクデータを特に構成し、前記Si片のダウンリンクデータは同じ情報を搬送する、請求項20に記載の装置。
【請求項２２】
前記第1のダウンリンクデータがSj片のダウンリンクデータをさらに含み、前記M個のスケジューリング情報群は、前記N個のスケジューリング情報群のうちのj番目のスケジューリング情報群を含み、前記j番目のスケジューリング情報群および前記i番目のスケジューリング情報群は異なるスケジューリング情報であり、前記処理モジュールは、前記N個のスケジューリング情報群のうちの前記M個のスケジューリング情報群に基づいて前記第1のダウンリンクデータを構成するときに、前記j番目のスケジューリング情報群に基づいて前記Sj片のダウンリンクデータを特に構成し、前記Sj片のダウンリンクデータは同じ情報を搬送し、
前記Sj片のダウンリンクデータで搬送される前記情報は、前記Si片のダウンリンクデータで搬送される前記情報とは異なり、Sjは正の整数である、請求項20または21に記載の装置。
【請求項２３】
前記処理モジュールが、前記N個のスケジューリング情報群のうちのP個のスケジューリング情報群に基づいて第2のダウンリンクデータを構成するようにさらに構成され、PはN以下の正の整数であり、
前記トランシーバモジュールは、第2の伝送時間単位で前記第2のダウンリンクデータを第2の端末装置に送信するようにさらに構成される、
請求項18から22のいずれか一項に記載の装置。
【請求項２４】
前記第1の伝送時間単位が前記第2の伝送時間単位と重ならず、前記M個のスケジューリング情報群は、前記P個のスケジューリング情報群と同じ、部分的に同じ、または異なるか、あるいは
前記第1の伝送時間単位が前記第2の伝送時間単位と重なるかまたは部分的に重なり、前記M個のスケジューリング情報群は、前記P個のスケジューリング情報群と異なる、
請求項23に記載の装置。
【請求項２５】
前記トランシーバモジュールが、前記第1の伝送時間単位で前記第1のダウンリンクデータを前記第1の端末装置に送信する前に、前記第1の端末装置および／または前記第2の端末装置にスケジューリング情報指示シグナリングを送信するようにさらに構成され、前記スケジューリング情報指示シグナリングは、前記N個のスケジューリング情報群を指示するために使用され、前記スケジューリング情報指示シグナリングは、上位レイヤシグナリングまたは物理レイヤシグナリングである、
請求項18から24のいずれか一項に記載の装置。
【請求項２６】
前記トランシーバモジュールが、前記第1の伝送時間単位でダウンリンクデータ指示シグナリングを前記第1の端末装置に送信するようにさらに構成され、前記ダウンリンクデータ指示シグナリングは、前記第1のダウンリンクデータが前記第1の伝送時間内に送信されるかどうかを示すために使用される、
請求項18から25のいずれか一項に記載の装置。
【請求項２７】
端末装置であって、前記端末装置が第1の端末装置であり、前記第1の端末装置は、
N個のスケジューリング情報群を決定し、Nは正の整数であり、前記N個のスケジューリング情報群に基づいて第1の伝送時間単位で第1のダウンリンクデータを検出し、前記第1のダウンリンクデータは少なくとも1片のダウンリンクデータを含む、ように構成された処理モジュールを備える、端末装置。
【請求項２８】
前記第1のダウンリンクデータが、前記N個のスケジューリング情報群のうちのM個のスケジューリング情報群に基づいて前記ネットワーク装置によって構成され、MはN以下の正の整数である、請求項27に記載の装置。
【請求項２９】
前記第1のダウンリンクデータがM片のダウンリンクデータを含み、前記M片のダウンリンクデータは同じ情報を搬送し、前記N個のスケジューリング情報群に基づいて前記第1の伝送時間単位で前記第1のダウンリンクデータを検出するとき、前記処理モジュールは、前記第1の伝送時間単位で、前記M個のスケジューリング情報群に示されるM個のチャネルリソースから前記M片のダウンリンクデータを抽出するように特に構成され、および／または前記処理モジュールは、前記M個のスケジューリング情報群に示されるM個のMCSに基づいて、前記第1の伝送時間単位で前記M片のダウンリンクデータを復調するように特に構成される、請求項28に記載の装置。
【請求項３０】
前記M個のスケジューリング情報群が、前記N個のスケジューリング情報群のうちのi番目のスケジューリング情報群を含み、前記i番目のスケジューリング情報群はSi個のチャネルリソースを示すか、または前記i番目のスケジューリング情報群はSi個のチャネルリソースおよびSi個のMCSを示すか、または前記i番目のスケジューリング情報群はSi個のチャネルリソース、Si個のMCS、およびSi個の冗長バージョンRVを示し、
Siは1より大きい整数である、請求項28に記載の装置。
【請求項３１】
前記第1のダウンリンクデータがSi片のダウンリンクデータを含み、前記処理モジュールは、前記N個のスケジューリング情報群に基づいて前記第1の伝送時間単位で前記第1のダウンリンクデータを検出するときに前記i番目のスケジューリング情報群に基づいて前記Si片のダウンリンクデータを検出するように特に構成され、前記Si片のダウンリンクデータは同じ情報を搬送する、請求項30に記載の装置。
【請求項３２】
前記第1のダウンリンクデータがSj片のダウンリンクデータをさらに含み、前記M個のスケジューリング情報群は、前記N個のスケジューリング情報群のうちのj番目のスケジューリング情報群を含み、前記j番目のスケジューリング情報群および前記i番目のスケジューリング情報群は異なるスケジューリング情報であり、前記処理モジュールは、前記N個のスケジューリング情報群に基づいて前記第1の伝送時間単位で前記第1のダウンリンクデータを検出するときに、前記j番目のスケジューリング情報群に基づいて前記Sj片のダウンリンクデータを検出するように特に構成され、前記Sj片のダウンリンクデータは同じ情報を搬送し、
前記Sj片のダウンリンクデータで搬送される前記情報は、前記Si片のダウンリンクデータで搬送される前記情報とは異なり、Sjは正の整数である、請求項30または31に記載の装置。
【請求項３３】
前記処理モジュールが前記N個のスケジューリング情報群に基づいて前記第1の伝送時間単位で前記第1のダウンリンクデータを検出する前に、前記ネットワーク装置によって送信されたスケジューリング情報指示シグナリングを受信するように構成されたトランシーバモジュールであって、前記スケジューリング情報指示シグナリングは、前記N個のスケジューリング情報群を指示するために使用され、前記スケジューリング情報指示シグナリングは、上位レイヤシグナリングまたは物理レイヤシグナリングである、トランシーバモジュール
をさらに備える、請求項27から32のいずれか一項に記載の装置。
【請求項３４】
前記処理モジュールが前記N個のスケジューリング情報群に基づいて前記第1の伝送時間単位で前記第1のダウンリンクデータを検出する前に、前記第1の伝送時間単位で前記ネットワーク装置によって送信されるダウンリンクデータ指示シグナリングを受信するように構成されたトランシーバモジュールであって、前記ダウンリンクデータ指示シグナリングは、前記第1のダウンリンクデータが前記第1の伝送時間内に送信されるかどうかを示すために使用される、トランシーバモジュール
をさらに備える、請求項27から33のいずれか一項に記載の装置。
【請求項３５】
プロセッサ、メモリ、通信インタフェース、およびシステムバスを備えたネットワーク装置であって、前記メモリ、前記通信インタフェース、および前記プロセッサは、前記システムバスを使用して互いに接続されて通信し、前記メモリはコンピュータ実行命令を格納するように構成され、前記通信インタフェースは他の装置と通信するように構成され、前記プロセッサは前記コンピュータ実行命令を実行するように構成され、それによって前記ネットワーク装置は請求項1から9のいずれか一項に記載の方法を実行する、ネットワーク装置。
【請求項３６】
端末装置であって、前記端末装置が第1の端末装置であり、前記第1の端末装置は、プロセッサ、メモリ、通信インタフェース、およびシステムバスを備え、前記メモリ、前記通信インタフェース、および前記プロセッサは、前記システムバスを使用して互いに接続されて通信し、前記メモリはコンピュータ実行命令を格納するように構成され、前記通信インタフェースは他の装置と通信するように構成され、前記プロセッサは前記コンピュータ実行命令を実行するように構成され、それによって前記第1の端末装置は請求項10から17のいずれか一項に記載の方法を実行する、端末装置。
【発明の詳細な説明】
【技術分野】
【０００１】
本発明の実施形態は、通信技術に関し、特に、データ伝送方法、ネットワーク装置、および端末装置に関する。
【背景技術】
【０００２】
無線通信システムにおいて、端末装置は、ネットワーク装置によって送信されたダウンリンク制御情報（Downlink Control Information，DCI）に基づいてダウンリンクデータを受信するか、またはアップリンクデータを送信する。DCIは、スケジューリング情報、電力制御命令情報などを含む。スケジューリング情報は、少なくともリソース割り当て（Resource Allocation，RA）情報および／または変調符号化方式（Modulation and coding Scheme，MCS）情報を含む。
【０００３】
ロングタームエボリューション（Long Term Evolution，LTE）システムでは、ネットワーク装置は、DCIを、リリース8（Relase8，R8）で定義されているPDCCHなどの物理ダウンリンク制御チャネル（Physical Downlink Control Channel，PDCCH）、またはリリース11（Release，R11）で定義されている拡張物理ダウンリンク制御チャネル（enhanced Physical Downlink Control Channel，ePDCCH）に主に追加する。データ伝送プロセスにおいて、ユーザ機器は、必要なDCIを取得するためにPDCCHまたはePDCCH上でブラインド検出を実行し、DCIに基づいてダウンリンクデータを受信するかまたはアップリンクデータを送信する。ブラインド検出の間、エラーが発生する可能性があり、エラー発生の可能性は誤検出（miss−detection）確率と呼ばれる。一般に、LTEにおけるPDCCHまたはePDCCHの誤検出確率の指標は10−2である。
【０００４】
将来の第5世代移動通信（the 5th Generation Mobile Communication，5G）には、高信頼低遅延通信（Ultra Reliable and Low Latency Communication，URLLC）が導入されている。URLLCには2つの重要な指標がある。1．ユーザプレーン遅延（User plane latency）が0．5ミリ秒に達する。2．信頼性が10−5から1の範囲の値に達する。LTEのデータ伝送メカニズムがURLLCに使用され続ける場合、PDCCHまたはePDCCHの誤検出確率の指標は10−2であるため、URLLCの信頼性指標を明らかに満たすことができない。
【発明の概要】
【０００５】
本発明の実施形態は、信頼性の高いデータ伝送を実現するためのデータ伝送方法、ネットワーク装置、および端末装置を提供する。
【課題を解決するための手段】
【０００６】
第1の態様によれば、本発明の一実施形態はデータ伝送方法を提供する。方法は、ネットワーク装置の観点から説明され、方法は、ネットワーク装置によって、端末装置群の要件に基づいてN個のスケジューリング情報群を構成し、N個のスケジューリング情報群のうちのM個のスケジューリング情報群に基づいて少なくとも1片のダウンリンクデータを構成し、第1の伝送時間単位で第1のダウンリンクデータを第1の端末装置に送信するステップと、これに対応して、第1の端末装置によって、N個のスケジューリング情報群を決定するステップと、N個のスケジューリング情報群に基づいて第1の伝送時間単位で第1のダウンリンクデータを検出するステップと、を含む。
【０００７】
前述の方法では、第1のダウンリンクデータは少なくとも1片のダウンリンクデータを含み、少なくとも1片のダウンリンクデータは同じ情報を搬送する。したがって、第1の端末装置が第1のダウンリンクデータから1片のダウンリンクデータを正しく検出できれば、データの受信に成功したことになる。このように、第1のダウンリンクデータは、複数回の伝送と1回の検出に成功することで、正常に伝送され得るので、信頼性の高いデータ伝送が実現される。さらに、大量の制御オーバヘッドを導入することなく、PDCCH動的スケジューリングの低い信頼性が回避されるだけでなく、リンクアダプテーションも得られる。
【０００８】
実現可能な実装において、M個のスケジューリング情報群のそれぞれが1つのチャネルリソースおよび／または1つのMCSを示すとき、第1のダウンリンクデータはM片のダウンリンクデータを含み、ネットワーク装置がN個のスケジューリング情報群のうちのM個のスケジューリング情報群に基づいて第1のダウンリンクデータを構成するステップは、ネットワーク装置が、M個のスケジューリング情報群に示されるM個の変調符号化方式MCSに基づいて、M片のダウンリンクデータを変調するステップ、および、ネットワーク装置が、ダウンリンクデータをM個のスケジューリング情報群に示されるM個のチャネルリソースにそれぞれマッピングするステップのうちの少なくとも一方を含む。このプロセスでは、M個の第1のダウンリンクデータは同じ情報を搬送する。
【０００９】
上述の方法では、M個のスケジューリング情報群に基づいてネットワーク装置によって構成される第1のダウンリンクデータは、同じ情報を搬送するM片のダウンリンクデータを含み、同じ情報を搬送するM片のダウンリンクデータは、第1の伝送時間単位で第1の端末装置に送信され、これにより、第1の端末装置は、M片のダウンリンクデータを検出する。これは、Mが1より大きい場合に主に当てはまる。
【００１０】
実現可能な実装形態では、M個のスケジューリング情報群は、N個のスケジューリング情報群のうちのi番目のスケジューリング情報群を含み、i番目のスケジューリング情報群はSi個のチャネルリソースを示すか、またはi番目のスケジューリング情報群はSi個のチャネルリソースおよびSi個のMCSを示すか、またはi番目のスケジューリング情報群はSi個のチャネルリソース、Si個のMCS、およびSi個の冗長バージョンRVを示し、
Siは1より大きい整数である。
【００１１】
ネットワーク装置が第1のダウンリンクデータに含まれるSi片のダウンリンクデータを構成することは、ネットワーク装置が、i番目のスケジューリング情報群に示されるSi個のMCSに基づいてSi片のダウンリンクデータを変調するステップ、およびネットワーク装置が、Si片のダウンリンクデータをSi個のチャネルリソースにそれぞれマッピングするステップのうちの少なくとも1つを含む。
【００１２】
上記の方法では、M個のスケジューリング情報群のうちi番目のスケジューリング情報群について、ネットワーク装置によって構成される第1のダウンリンクデータはSi片のダウンリンクデータを含み、Si片のダウンリンクデータは同じ情報を搬送し、これにより、第1の端末装置は、Si片のダウンリンクデータを検出する。これは主にM＝1またはM＝2の場合に当てはまる。
【００１３】
実現可能な実装形態では、第1のダウンリンクデータはSj片のダウンリンクデータをさらに含み、M個のスケジューリング情報群は、N個のスケジューリング情報群のうちのj番目のスケジューリング情報群を含み、j番目のスケジューリング情報群およびi番目のスケジューリング情報群は異なるスケジューリング情報であり、ネットワーク装置がN個のスケジューリング情報群のうちのM個のスケジューリング情報群に基づいて第1のダウンリンクデータを構成することは、ネットワーク装置によって、j番目のスケジューリング情報群に基づいてSj片のダウンリンクデータを構成することを含み、Sj片のダウンリンクデータは同じ情報を搬送し、Sj片のダウンリンクデータで搬送される情報はSi片のダウンリンクデータで搬送される情報とは異なり、Sjは正の整数である。
【００１４】
実現可能な実装形態では、方法は、ネットワーク装置によって、N個のスケジューリング情報群のうちのP個のスケジューリング情報群に基づいて第2のダウンリンクデータを構成するステップであって、PはN以下の正の整数である、ステップと、ネットワーク装置によって、第2の伝送時間単位で第2のダウンリンクデータを第2の端末装置に送信するステップと、を含む。第1の伝送時間単位は第2の伝送時間単位と重ならず、M個のスケジューリング情報群は、P個のスケジューリング情報群と同じ、部分的に同じ、または異なるか、あるいは第1の伝送時間単位は第2の伝送時間単位と重なるかまたは部分的に重なり、M個のスケジューリング情報群は、P個のスケジューリング情報群と異なる。
【００１５】
前述の方法では、ネットワーク装置は、1つの端末装置群に対してN個のスケジューリング情報群を構成し、1つまたは複数のチャネルリソースで、端末装置群内で伝送要件を有する1つまたは複数のUEにダウンリンクデータを送信する。複数のUEはチャネルリソースを再利用し、それによってチャネルリソースの利用率を高める。
【００１６】
実現可能な実装形態では、ネットワーク装置によって、第1の伝送時間単位で第1のダウンリンクデータを第1の端末装置に送信するステップの前に、方法は、ネットワーク装置によって、第1の端末装置および／または第2の端末装置にスケジューリング情報指示シグナリングを送信するステップをさらに含み、スケジューリング情報指示シグナリングは、N個のスケジューリング情報群を指示するために使用され、スケジューリング情報指示シグナリングは、上位レイヤシグナリングまたは物理レイヤシグナリングである。物理的シグナリングが使用されるとき、スケジューリング情報を更新することは便利である。上位レイヤシグナリングが使用されると、リソースが削減される。
【００１７】
実現可能な実装形態では、方法は、
ネットワーク装置によって、第1の伝送時間単位でダウンリンクデータ指示シグナリングを第1の端末装置に送信するステップであって、ダウンリンクデータ指示シグナリングは、第1のダウンリンクデータが第1の伝送時間内に送信されるかどうかを示すために使用され、それによって、端末装置が第1のダウンリンクデータに対してブラインド検出をリアルタイムで実行することを妨げる、ステップをさらに含む。
【００１８】
第2の態様によれば、本発明の一実施形態はデータ伝送方法を提供する。方法は、第1の端末装置の観点から説明され、方法は、第1の端末装置によって、N個のスケジューリング情報群を決定するステップであって、Nは正の整数である、ステップと、第1の端末装置によって、N個のスケジューリング情報群に基づいて第1の伝送時間単位で第1のダウンリンクデータを検出するステップであって、第1のダウンリンクデータは少なくとも1片のダウンリンクデータを含む、ステップと、を含む。
【００１９】
前述の方法では、第1のダウンリンクデータは少なくとも1片のダウンリンクデータを含み、少なくとも1片のダウンリンクデータは同じ情報を搬送する。したがって、第1の端末装置が第1のダウンリンクデータから1片のダウンリンクデータを正しく検出できれば、データの受信に成功したことになる。このように、第1のダウンリンクデータは、複数回の伝送と1回の検出に成功することで、正常に伝送され得るので、信頼性の高いデータ伝送が実現される。さらに、大量の制御オーバヘッドを導入することなく、PDCCH動的スケジューリングの低い信頼性が回避されるだけでなく、リンクアダプテーションも得られる。
【００２０】
実現可能な実装形態では、第1のダウンリンクデータは、N個のスケジューリング情報群のうちのM個のスケジューリング情報群に基づいてネットワーク装置によって構成され、MはN以下の正の整数である。
【００２１】
実現可能な実装形態では、第1のダウンリンクデータはM片のダウンリンクデータを含み、M片のダウンリンクデータは同じ情報を搬送し、第1の端末装置によって、N個のスケジューリング情報群に基づいて第1の伝送時間単位で第1のダウンリンクデータの検出するステップは、第1の伝送時間単位で第1の端末装置によって、M個のスケジューリング情報群に示されるM個のチャネルリソースからM片のダウンリンクデータを抽出するステップ、および／または、第1の端末装置によって、M個のスケジューリング情報群に示されるM個のMCSに基づいて、第1の伝送時間単位でM片のダウンリンクデータを復調するステップを含む。
【００２２】
実現可能な実装形態では、M個のスケジューリング情報群は、N個のスケジューリング情報群のうちのi番目のスケジューリング情報群を含み、i番目のスケジューリング情報群はSi個のチャネルリソースを示すか、またはi番目のスケジューリング情報群はSi個のチャネルリソースおよびSi個のMCSを示すか、またはi番目のスケジューリング情報群はSi個のチャネルリソース、Si個のMCS、およびSi個の冗長バージョンRVを示し、Siは1より大きい整数である。
【００２３】
実現可能な実装形態では、第1のダウンリンクデータはSi片のダウンリンクデータを含み、第1の端末装置によって、N個のスケジューリング情報群に基づいて第1の伝送時間単位で第1のダウンリンクデータを検出するステップは、
第1の端末装置によって、i番目のスケジューリング情報群に基づいてSi片のダウンリンクデータを検出するステップであって、Si片のダウンリンクデータは同じ情報を搬送する、ステップを含む。
【００２４】
実現可能な実装形態では、第1のダウンリンクデータはSj片のダウンリンクデータをさらに含み、M個のスケジューリング情報群は、N個のスケジューリング情報群のうちのj番目のスケジューリング情報群を含み、j番目のスケジューリング情報群およびi番目のスケジューリング情報群は異なるスケジューリング情報であり、第1の端末装置によって、N個のスケジューリング情報群に基づいて第1の伝送時間単位で第1のダウンリンクデータを検出するステップは、第1の端末装置によって、j番目のスケジューリング情報群に基づいてSj片のダウンリンクデータを検出するステップを含み、Sj片のダウンリンクデータは同じ情報を搬送し、Sj片のダウンリンクデータで搬送される情報はSi片のダウンリンクデータで搬送される情報とは異なり、Sjは正の整数である。
【００２５】
実現可能な実装形態では、第1の端末装置によって、N個のスケジューリング情報群に基づいて第1の伝送時間単位で第1のダウンリンクデータを検出するステップの前に、方法は、第1の端末装置によって、ネットワーク装置によって送信されたスケジューリング情報指示シグナリングを受信するステップをさらに含み、スケジューリング情報指示シグナリングは、N個のスケジューリング情報群を指示するために使用され、スケジューリング情報指示シグナリングは、上位レイヤシグナリングまたは物理レイヤシグナリングである。
【００２６】
実現可能な実装形態では、第1の端末装置によって、N個のスケジューリング情報群に基づいて第1の伝送時間単位で第1のダウンリンクデータを検出するステップの前に、方法は、第1の端末装置によって、第1の伝送時間単位でネットワーク装置によって送信されたダウンリンクデータ指示シグナリングを受信するステップをさらに含み、ダウンリンクデータ指示シグナリングは、第1のダウンリンクデータが第1の伝送時間内に送信されるかどうかを示すために使用される。
【００２７】
第3の態様によれば、本発明の一実施形態は、
N個のスケジューリング情報群を構成し、Nは正の整数であり、N個のスケジューリング情報群のうちのM個のスケジューリング情報群に基づいて第1のダウンリンクデータを構成し、第1のダウンリンクデータは少なくとも1片のダウンリンクデータを含み、MはN以下の正の整数である、ように構成された処理モジュールと、
第1の伝送時間単位で第1のダウンリンクデータを第1の端末装置に送信するように構成されたトランシーバモジュールと
を備えるネットワーク装置を提供する。
【００２８】
実現可能な実装形態では、第1のダウンリンクデータはM片のダウンリンクデータを含み、M片のダウンリンクデータは同じ情報を搬送し、N個のスケジューリング情報群のうちのM個のスケジューリング情報群に基づいて第1のダウンリンクデータを構成するとき、処理モジュールは、M個のスケジューリング情報群に示されるM個の変調符号化方式MCSに基づいて、M片のダウンリンクデータを特に個別に変調する、および／またはM片のダウンリンクデータを、M個のスケジューリング情報群に示されるM個のチャネルリソースにそれぞれマッピングする。
【００２９】
実現可能な実装形態では、M個のスケジューリング情報群は、N個のスケジューリング情報群のうちのi番目のスケジューリング情報群を含み、i番目のスケジューリング情報群はSi個のチャネルリソースを示すか、またはi番目のスケジューリング情報群はSi個のチャネルリソースおよびSi個のMCSを示すか、またはi番目のスケジューリング情報群はSi個のチャネルリソース、Si個のMCS、およびSi個の冗長バージョンRVを示し、
Siは1より大きい整数である。
【００３０】
実現可能な実装形態では、第1のダウンリンクデータはSi片のダウンリンクデータを含み、処理モジュールは、N個のスケジューリング情報群のうちのM個のスケジューリング情報群に基づいて第1のダウンリンクデータを構成するときにi番目のスケジューリング情報群に基づいてSi片のダウンリンクデータを特に構成し、Si片のダウンリンクデータは同じ情報を搬送する。
【００３１】
実現可能な実装形態では、第1のダウンリンクデータはSj片のダウンリンクデータをさらに含み、M個のスケジューリング情報群は、N個のスケジューリング情報群のうちのj番目のスケジューリング情報群を含み、j番目のスケジューリング情報群およびi番目のスケジューリング情報群は異なるスケジューリング情報であり、処理モジュールは、N個のスケジューリング情報群のうちのM個のスケジューリング情報群に基づいて第1のダウンリンクデータを構成するときに、j番目のスケジューリング情報群に基づいてSj片のダウンリンクデータを特に構成し、Sj片のダウンリンクデータは同じ情報を搬送し、
Sj片のダウンリンクデータで搬送される情報は、Si片のダウンリンクデータで搬送される情報とは異なり、Sjは正の整数である。
【００３２】
実現可能な実装形態では、処理モジュールは、N個のスケジューリング情報群のうちのP個のスケジューリング情報群に基づいて第2のダウンリンクデータを構成するようにさらに構成され、PはN以下の正の整数であり、
トランシーバモジュールは、第2の伝送時間単位で第2のダウンリンクデータを第2の端末装置に送信するようにさらに構成される。
【００３３】
実現可能な実装形態では、第1の伝送時間単位は第2の伝送時間単位と重ならず、M個のスケジューリング情報群は、P個のスケジューリング情報群と同じ、部分的に同じ、または異なるか、あるいは
第1の伝送時間単位は第2の伝送時間単位と重なるかまたは部分的に重なり、M個のスケジューリング情報群は、P個のスケジューリング情報群と異なる。
【００３４】
実現可能な実装形態では、トランシーバモジュールは、第1の伝送時間単位で第1のダウンリンクデータを第1の端末装置に送信する前に、第1の端末装置および／または第2の端末装置にスケジューリング情報指示シグナリングを送信するようにさらに構成され、スケジューリング情報指示シグナリングは、N個のスケジューリング情報群を指示するために使用され、スケジューリング情報指示シグナリングは、上位レイヤシグナリングまたは物理レイヤシグナリングである。
【００３５】
実現可能な実装形態では、トランシーバモジュールは、第1の伝送時間単位でダウンリンクデータ指示シグナリングを第1の端末装置に送信するようにさらに構成され、ダウンリンクデータ指示シグナリングは、第1のダウンリンクデータが第1の伝送時間内に送信されるかどうかを示すために使用される。
【００３６】
第4の態様によれば、本発明の一実施形態は、端末装置を提供し、端末装置は第1の端末装置であり、第1の端末装置は、
N個のスケジューリング情報群を決定し、Nは正の整数であり、N個のスケジューリング情報群に基づいて第1の伝送時間単位で第1のダウンリンクデータを検出し、第1のダウンリンクデータは少なくとも1片のダウンリンクデータを含む、ように構成された処理モジュールを含む。
【００３７】
実現可能な実装形態では、第1のダウンリンクデータは、N個のスケジューリング情報群のうちのM個のスケジューリング情報群に基づいてネットワーク装置によって構成され、MはN以下の正の整数である。
【００３８】
実現可能な実装形態では、第1のダウンリンクデータはM片のダウンリンクデータを含み、M片のダウンリンクデータは同じ情報を搬送し、N個のスケジューリング情報群に基づいて第1の伝送時間単位で第1のダウンリンクデータを検出するとき、処理モジュールは、第1の伝送時間単位で、M個のスケジューリング情報群に示されるM個のチャネルリソースからM片のダウンリンクデータを抽出するように特に構成され、および／または処理モジュールは、M個のスケジューリング情報群に示されるM個のMCSに基づいて、第1の伝送時間単位でM片のダウンリンクデータを復調するように特に構成される。
【００３９】
実現可能な実装形態では、M個のスケジューリング情報群は、N個のスケジューリング情報群のうちのi番目のスケジューリング情報群を含み、i番目のスケジューリング情報群はSi個のチャネルリソースを示すか、またはi番目のスケジューリング情報群はSi個のチャネルリソースおよびSi個のMCSを示すか、またはi番目のスケジューリング情報群はSi個のチャネルリソース、Si個のMCS、およびSi個の冗長バージョンRVを示し、
Siは1より大きい整数である。
【００４０】
実現可能な実装形態では、第1のダウンリンクデータはSi片のダウンリンクデータを含み、処理モジュールは、N個のスケジューリング情報群に基づいて第1の伝送時間単位で第1のダウンリンクデータを検出するときにi番目のスケジューリング情報群に基づいてSi片のダウンリンクデータを検出するように特に構成され、Si片のダウンリンクデータは同じ情報を搬送する。
【００４１】
実現可能な実装形態では、第1のダウンリンクデータはSj片のダウンリンクデータをさらに含み、M個のスケジューリング情報群は、N個のスケジューリング情報群のうちのj番目のスケジューリング情報群を含み、j番目のスケジューリング情報群およびi番目のスケジューリング情報群は異なるスケジューリング情報であり、処理モジュールは、N個のスケジューリング情報群に基づいて第1の伝送時間単位で第1のダウンリンクデータを検出するときに、j番目のスケジューリング情報群に基づいてSj片のダウンリンクデータを検出するように特に構成され、Sj片のダウンリンクデータは同じ情報を搬送し、
Sj片のダウンリンクデータで搬送される情報は、Si片のダウンリンクデータで搬送される情報とは異なり、Sjは正の整数である。
【００４２】
実現可能な実装形態では、第1の端末装置は、
処理モジュールがN個のスケジューリング情報群に基づいて第1の伝送時間単位で第1のダウンリンクデータを検出する前に、ネットワーク装置によって送信されたスケジューリング情報指示シグナリングを受信するように構成されたトランシーバモジュールであって、スケジューリング情報指示シグナリングは、N個のスケジューリング情報群を指示するために使用され、スケジューリング情報指示シグナリングは、上位レイヤシグナリングまたは物理レイヤシグナリングである、トランシーバモジュールをさらに含む。
【００４３】
実現可能な実装形態では、トランシーバモジュールは、処理モジュールがN個のスケジューリング情報群に基づいて第1の伝送時間単位で第1のダウンリンクデータを検出する前に、ネットワーク装置によって送信されるダウンリンクデータ指示シグナリングを第1の伝送時間単位で受信するように構成され、ダウンリンクデータ指示シグナリングは、第1のダウンリンクデータが第1の伝送時間内に送信されるかどうかを示すために使用される。
【００４４】
第5の態様によれば、本発明の一実施形態は、プロセッサ、メモリ、通信インタフェース、およびシステムバスを含むネットワーク装置を提供する。メモリ、通信インタフェース、およびプロセッサは、システムバスを使用して互いに接続されて通信し、メモリはコンピュータ実行命令を格納するように構成され、通信インタフェースは他の装置と通信するように構成され、プロセッサはコンピュータ実行命令を実行するように構成され、これにより、ネットワーク装置は、第1の態様または第1の態様の可能な実装形態のうちのいずれか1つのステップを実行する。
【００４５】
第6の態様によれば、本発明の一実施形態は端末装置を提供し、端末装置は第1の端末装置であり、第1の端末装置はプロセッサ、メモリ、通信インタフェース、およびシステムバスを含む。メモリ、通信インタフェース、およびプロセッサは、システムバスを使用して互いに接続されて通信し、メモリはコンピュータ実行命令を格納するように構成され、通信インタフェースは他の装置と通信するように構成され、プロセッサはコンピュータ実行命令を実行するように構成され、これにより、第1の端末装置は、第1の態様または第1の態様の可能な実装形態のうちのいずれか1つのステップを実行する。
【００４６】
第7の態様によれば、本発明の一実施形態は、データ伝送方法を提供し、方法は、
ネットワーク装置によって、第1の伝送時間単位で第1のダウンリンクデータを第1の端末装置に送信するステップであって、第1のダウンリンクデータに含まれる少なくとも1つのトランスポートブロックはスケジューリング情報を含む、ステップと、
ネットワーク装置によって、スケジューリング情報に基づいて第2のダウンリンクデータを構成するステップと、
ネットワーク装置によって、第2の伝送時間単位で第2のダウンリンクデータを第1の端末装置に送信するステップと、を含み、
第1の伝送時間単位は第2の伝送時間単位より早い。
【００４７】
実現可能な実装形態では、第1のダウンリンクデータはA個のトランスポートブロックを含み、スケジューリング情報はA個のトランスポートブロックのうちの1つの最初のXビットまたは最後のXビットを占有するか、または
第1のダウンリンクデータは2つのトランスポートブロックを含み、スケジューリング情報は2つのトランスポートブロックのそれぞれの最初のXビットまたは最後のXビットを占有し、
Xは1以上の整数であり、Aは1または2に等しい。
【００４８】
実現可能な実施態様では、トランスポートブロックはスケジューリング情報指示フィールド情報をさらに含み、
第1のダウンリンクデータはA個のトランスポートブロックを含み、スケジューリング情報指示フィールド情報はA個のトランスポートブロックのうちの1つの最初のYビットを占有し、スケジューリング情報はトランスポートブロックのYビットの後のXビットを占有するか、または
第1のダウンリンクデータは2つのトランスポートブロックを含み、スケジューリング情報指示フィールド情報は2つのトランスポートブロックのそれぞれの最初のYビットを占有し、スケジューリング情報は2つのトランスポートブロックのそれぞれのYビットの後のXビットを占有し、
Xは1以上の整数であり、Aは1または2に等しい。
【００４９】
実現可能な実装形態では、トランスポートブロック内のすべての情報に対してジョイントコーディングが実行される。
【００５０】
実現可能な実装形態では、ネットワーク装置によって、第1の伝送時間単位で第1の端末装置に第1のダウンリンクデータを送信するステップの前に、方法は、
ネットワーク装置によって、N個のスケジューリング情報群を構成するステップであって、Nは正の整数である、ステップと、
ネットワーク装置によって、N個のスケジューリング情報群のうちの1つに基づいて第1のダウンリンクデータを構成するステップとをさらに含む。
【００５１】
第8の態様によれば、本発明の一実施形態はデータ伝送方法を提供し、方法は、
第1の端末装置によって、第1の伝送時間単位でネットワーク装置によって送信された第1のダウンリンクデータを受信するステップであって、第1のダウンリンクデータに含まれる少なくとも1つのトランスポートブロックはスケジューリング情報を含む、ステップと、
第1の端末装置によって、スケジューリング情報に基づいて第2の伝送時間単位で第2のダウンリンクデータを復調するステップであって、第2のダウンリンクデータは、スケジューリング情報に基づいてネットワーク装置によって構成される、ステップと、を含み、
第1の伝送時間単位は第2の伝送時間単位より早い。
【００５２】
実現可能な実装形態では、第1のダウンリンクデータはA個のトランスポートブロックを含み、スケジューリング情報はA個のトランスポートブロックのうちの1つの最初のXビットまたは最後のXビットを占有するか、または
第1のダウンリンクデータは2つのトランスポートブロックを含み、スケジューリング情報は2つのトランスポートブロックのそれぞれの最初のXビットまたは最後のXビットを占有し、
Xは1以上の整数であり、Aは1または2に等しい。
【００５３】
実現可能な実装形態では、第1のダウンリンクデータはA個のトランスポートブロックを含み、スケジューリング情報指示フィールド情報はA個のトランスポートブロックのうちの1つの最初のYビットを占有し、スケジューリング情報はトランスポートブロックのYビットの後のXビットを占有するか、または
第1のダウンリンクデータは2つのトランスポートブロックを含み、スケジューリング情報指示フィールド情報は2つのトランスポートブロックのそれぞれの最初のYビットを占有し、スケジューリング情報は2つのトランスポートブロックのそれぞれのYビットの後のXビットを占有し、
Xは1以上の整数であり、Aは1または2に等しい。
【００５４】
実現可能な実装形態では、トランスポートブロック内のすべての情報に対してジョイントコーディングが実行される。
【００５５】
実現可能な実装形態では、第1の端末装置によって、第1の伝送時間単位でネットワーク装置によって送信された第1のダウンリンクデータを受信するステップは、
第1の伝送時間単位で第1の端末装置によって、N個のスケジューリング情報群のうちの1つに基づいてネットワーク装置によって構成された第1のダウンリンクデータを受信するステップを含む。
【００５６】
第9の態様によれば、本発明の一実施形態は、
第1の伝送時間単位で第1のダウンリンクデータを第1の端末装置に送信するように構成されたトランシーバモジュールであって、第1のダウンリンクデータに含まれる少なくとも1つのトランスポートブロックはスケジューリング情報を含む、トランシーバモジュールと、
スケジューリング情報に基づいて第2のダウンリンクデータを構成するように構成された処理モジュールと、を含むネットワーク装置を提供し、
トランシーバモジュールは、第2の伝送時間単位で第2のダウンリンクデータを第1の端末装置に送信するようにさらに構成され、
第1の伝送時間単位は第2の伝送時間単位より早い。
【００５７】
実現可能な実装形態では、第1のダウンリンクデータはA個のトランスポートブロックを含み、スケジューリング情報はA個のトランスポートブロックのうちの1つの最初のXビットまたは最後のXビットを占有するか、または
第1のダウンリンクデータは2つのトランスポートブロックを含み、スケジューリング情報は2つのトランスポートブロックのそれぞれの最初のXビットまたは最後のXビットを占有し、
Xは1以上の整数であり、Aは1または2に等しい。
【００５８】
実現可能な実施態様では、トランスポートブロックはスケジューリング情報指示フィールド情報をさらに含み、
第1のダウンリンクデータはA個のトランスポートブロックを含み、スケジューリング情報指示フィールド情報はA個のトランスポートブロックのうちの1つの最初のYビットを占有し、スケジューリング情報はトランスポートブロックのYビットの後のXビットを占有するか、または
第1のダウンリンクデータは2つのトランスポートブロックを含み、スケジューリング情報指示フィールド情報は2つのトランスポートブロックのそれぞれの最初のYビットを占有し、スケジューリング情報は2つのトランスポートブロックのそれぞれのYビットの後のXビットを占有し、
Xは1以上の整数であり、Aは1または2に等しい。
【００５９】
実現可能な実装形態では、トランスポートブロック内のすべての情報に対してジョイントコーディングが実行される。
【００６０】
実現可能な実装形態では、処理モジュールは、トランシーバモジュールが第1の伝送時間単位で第1のダウンリンクデータを第1の端末装置に送信する前にN個のスケジューリング情報群を構成し、Nは正の整数であり、N個のスケジューリング情報群のうちの1つに基づいて第1のダウンリンクデータを構成するようにさらに構成される。
【００６１】
第10の態様によれば、本発明の一実施形態は、端末装置を提供し、端末装置は第1の端末装置であり、第1の端末装置は、
第1の伝送時間単位でネットワーク装置によって送信される第1のダウンリンクデータを受信するように構成されたトランシーバモジュールであって、第1のダウンリンクデータに含まれる少なくとも1つのトランスポートブロックはスケジューリング情報を含む、トランシーバモジュールと、
スケジューリング情報に基づいて第2の伝送時間単位で第2のダウンリンクデータを復調するように構成された処理モジュールであって、第2のダウンリンクデータは、スケジューリング情報に基づいてネットワーク装置によって構成される、処理モジュールと、を含み、
第1の伝送時間単位は第2の伝送時間単位より早い。
【００６２】
実現可能な実装形態では、第1のダウンリンクデータはA個のトランスポートブロックを含み、スケジューリング情報はA個のトランスポートブロックのうちの1つの最初のXビットまたは最後のXビットを占有するか、または
第1のダウンリンクデータは2つのトランスポートブロックを含み、スケジューリング情報は2つのトランスポートブロックのそれぞれの最初のXビットまたは最後のXビットを占有し、
Xは1以上の整数であり、Aは1または2に等しい。
【００６３】
実現可能な実装形態では、第1のダウンリンクデータはA個のトランスポートブロックを含み、スケジューリング情報指示フィールド情報はA個のトランスポートブロックのうちの1つの最初のYビットを占有し、スケジューリング情報はトランスポートブロックのYビットの後のXビットを占有するか、または
第1のダウンリンクデータは2つのトランスポートブロックを含み、スケジューリング情報指示フィールド情報は2つのトランスポートブロックのそれぞれの最初のYビットを占有し、スケジューリング情報は2つのトランスポートブロックのそれぞれのYビットの後のXビットを占有し、
Xは1以上の整数であり、Aは1または2に等しい。
【００６４】
実現可能な実装形態では、トランスポートブロック内のすべての情報に対してジョイントコーディングが実行される。
【００６５】
実現可能な実施態様では、トランシーバモジュールは、第1の伝送時間単位で、N個のスケジューリング情報群のうちの1つに基づいてネットワーク装置によって構成された第1のダウンリンクデータを受信するように特に構成される。
【００６６】
第11の態様によれば、本発明の一実施形態は、プロセッサ、メモリ、通信インタフェース、およびシステムバスを含むネットワーク装置を提供する。メモリ、通信インタフェース、およびプロセッサは、システムバスを使用して互いに接続されて通信し、メモリはコンピュータ実行命令を格納するように構成され、通信インタフェースは他の装置と通信するように構成され、プロセッサはコンピュータ実行命令を実行するように構成され、これにより、ネットワーク装置は、第7の態様または第7の態様の可能な実装形態のうちのいずれか1つのステップを実行する。
【００６７】
第12の態様によれば、本発明の一実施形態は端末装置を提供し、端末装置は第1の端末装置であり、第1の端末装置はプロセッサ、メモリ、通信インタフェース、およびシステムバスを含む。メモリ、通信インタフェース、およびプロセッサは、システムバスを使用して互いに接続されて通信し、メモリはコンピュータ実行命令を格納するように構成され、通信インタフェースは他の装置と通信するように構成され、プロセッサはコンピュータ実行命令を実行するように構成され、これにより、第1の端末装置は、第7の態様または第7の態様の可能な実装形態のうちのいずれか1つのステップを実行する。
【００６８】
第13の態様によれば、本発明の一実施形態は、ネットワーク装置によって使用されるコンピュータソフトウェア命令を格納するように構成されたコンピュータ記憶媒体を提供し、コンピュータソフトウェア命令は、第1の態様または第1の態様の実行可能な実装形態のうちのいずれか1つを実行するように設計されたプログラムを含む。
【００６９】
第14の態様によれば、本発明の一実施形態は、端末装置が第1の端末装置として機能するときに使用されるコンピュータソフトウェア命令を記憶するように構成されたコンピュータ記憶媒体を提供し、コンピュータソフトウェア命令は第1の態様または第1の態様の実行可能な実装形態のうちのいずれか1つを実行するように設計されたプログラムを含む。
【００７０】
第15の態様によれば、本発明の一実施形態は、ネットワーク装置によって使用されるコンピュータソフトウェア命令を格納するように構成されたコンピュータ記憶媒体を提供し、コンピュータソフトウェア命令は第7の態様または第7の態様の実行可能な実装形態のうちのいずれか1つを実行するように設計されたプログラムを含む。
【００７１】
第16の態様によれば、本発明の一実施形態は、端末装置が第1の端末装置として機能するときに使用されるコンピュータソフトウェア命令を格納するように構成されたコンピュータ記憶媒体を提供し、コンピュータソフトウェア命令は第7の態様または第7の態様の実行可能な実装形態のうちのいずれか1つを実行するように設計されたプログラムを含む。
【００７２】
本発明の実施形態で提供されるデータ伝送方法、ネットワーク装置、および端末装置によれば、ネットワーク装置は、端末装置群の要件に基づいてN個のスケジューリング情報群を構成し、N個のスケジューリング情報群のうちのM個のスケジューリング情報群に基づいて少なくとも1片のダウンリンクデータを構成し、第1の伝送時間単位で第1のダウンリンクデータを第1の端末装置に送信する。これに対応して、第1の端末装置は、N個のスケジューリング情報群を決定し、N個のスケジューリング情報群に基づいて第1の伝送時間単位で第1のダウンリンクデータを検出する。このプロセスでは、第1のダウンリンクデータは少なくとも1片のダウンリンクデータを含み、少なくとも1片のダウンリンクデータは同じ情報を搬送する。したがって、第1の端末装置が第1のダウンリンクデータから1片のダウンリンクデータを正しく検出できれば、データの受信に成功したことになる。このように、第1のダウンリンクデータは、複数回の伝送と1回の検出に成功することで、正常に伝送され得るので、信頼性の高いデータ伝送が実現される。さらに、大量の制御オーバヘッドを導入することなく、PDCCH動的スケジューリングの低い信頼性が回避されるだけでなく、リンクアダプテーションも得られる。
【図面の簡単な説明】
【００７３】
【図１】本発明によるデータ伝送方法が適用可能なネットワークアーキテクチャの概略図である。
【図２】本発明によるデータ伝送方法の実施形態1のシグナリング図である。
【図３Ａ】本発明によるデータ伝送方法におけるスケジューリング情報の例示的な概略図である。
【図３Ｂ】本発明によるデータ伝送方法におけるスケジューリング情報の別の例示的な概略図である。
【図４Ａ】本発明によるデータ伝送方法における伝送時間単位およびスケジューリング情報の例示的な概略図である。
【図４Ｂ】本発明によるデータ伝送方法における伝送時間単位およびスケジューリング情報の別の例示的な概略図である。
【図４Ｃ】本発明によるデータ伝送方法における伝送時間単位およびスケジューリング情報のさらに別の例示的な概略図である。
【図５】本発明によるデータ伝送方法の実施形態2のシグナリング図である。
【図６Ａ】本発明によるデータ伝送方法におけるスケジューリング情報を含むトランスポートブロックの概略図である。
【図６Ｂ】本発明によるデータ伝送方法におけるスケジューリング情報指示フィールド情報とスケジューリング情報とを含むトランスポートブロックの概略図である。
【図７】本発明によるデータ伝送方法における第1のダウンリンクデータ内のスケジューリング情報に示されるチャネルリソースの例示的な概略図である。
【図８】本発明によるデータ伝送方法の実施形態3のシグナリング図である。
【図９】本発明によるネットワーク装置の実施形態1の概略構成図である。
【図１０】本発明による端末装置の実施形態1の概略構成図である。
【図１１】本発明によるネットワーク装置の実施形態2の概略構成図である。
【図１２】本発明による端末装置の実施形態2の概略構成図である。
【図１３】本発明によるネットワーク装置の実施形態3の概略構成図である。
【図１４】本発明による端末装置の実施形態3の概略構成図である。
【図１５】本発明によるネットワーク装置の実施形態4の概略構成図である。
【図１６】本発明による端末装置の実施形態4の概略構成図である。
【発明を実施するための形態】
【００７４】
本発明の明細書、特許請求の範囲、および添付図面において、「第1」、「第2」、「第3」、「第4」等（もしあれば）の用語は類似のオブジェクトを区別することを意図しているが、必ずしも特定の順序または配列を示すものではない。そのように言及されたデータは、本明細書に記載された本発明の実施形態が、本明細書に図示または記載された順序以外の順序で実施され得るように、適切な状況において交換可能であることを理解されたい。さらに、用語「含む（include、contain）」および任意の他の変形は、非排他的な包含をカバーすることを意味し、例えば、ステップまたはユニットの列挙を含むプロセス、方法、システム、製品、または装置が、それらのユニットに必ずしも限定されないが、そのようなプロセス、方法、システム、製品、または装置に明確に列挙されていないまたは固有でない他のユニットを含んでもよい。
【００７５】
現在、リリースR8で定義されているPDCCHとリリースR11で定義されているePDCCHがLTE通信においてDCIを搬送するために使用されている場合、誤検出確率の指標は10−2である。ただし、5Gで提案されているURLLCの信頼性指標は10−5から1の範囲の値に達する。明らかに、LTEにおけるデータ伝送メカニズムが使用され続けている場合、URLLCの信頼性指標は達成されるには程遠い。
【００７６】
そこで、本発明の実施形態は、信頼性の高いデータ伝送を実現するためのデータ伝送方法、ネットワーク装置、および端末装置を提供する。
【００７７】
本明細書に記載のデータ伝送方法は、複数種類の端末が存在する様々な無線通信システムに適用され得る。無線通信システムでは、データ伝送の信頼性に比較的高い要件、例えば10−5から1の範囲の値が要求される。例えば、無線通信システムは、グローバル移動体通信システム（Global System for Mobile communications，GSM（登録商標））、符号分割多元接続（Code Division Multiple Access，CDMA）システム、時分割多元接続（Time Division Multiple Access，TDMA）システム、広帯域符号分割多元接続（Wideband Code Division Multiple Access Wireless，WCDMA（登録商標））、周波数分割多元接続（Frequency Division Multiple Addressing，FDMA）システム、直交周波数分割多元接続（Orthogonal Frequency−Division Multiple Access，OFDMA）システム、シングルキャリアFDMA（SC−FDMA）システム、一般パケット無線サービス（General Packet Radio Service，GPRS）システム、ロングタームエボリューション（Long Term Evolution，LTE）システム、E−UTRAシステム、5Gモバイル通信システム、またはそのようなタイプの別の通信システムである。
【００７８】
例えば、本発明の実施形態で使用される端末装置は無線端末装置である。無線端末は、ユーザに音声および／またはデータ接続を提供する装置、無線接続機能を有するハンドヘルド装置、または無線モデムに接続された他の処理装置であってもよい。無線端末は、無線アクセスネットワーク（例えば、RAN，Radio Access Network）を介して1つまたは複数のコアネットワークと通信することができる。無線端末は、携帯電話（または「セルラ」電話と呼ばれる）などの携帯端末、および携帯端末を有するコンピュータであってもよい。例えば、無線端末は、無線アクセスネットワークと音声および／またはデータを交換する、携帯用、ポケットサイズの、ハンドヘルドの、コンピュータ内蔵の、または車載のモバイル装置であってもよい。例えば、無線端末は、パーソナル通信サービス（Personal Communication Service，PCS）電話機、コードレス電話機、セッション開始プロトコル（SIP）電話機、無線ローカルループ（Wireless Local Loop，WLL）局、またはパーソナルデジタルアシスタント（Personal Digital Assistant，PDA）などの装置であってもよい。あるいは、無線端末は、システム、加入者ユニット（Subscriber Unit）、加入者局（Subscriber Station）、移動局（Mobile Station）、モバイルコンソール（Mobile）、遠隔局（Remote Station）、リモート端末（Remote Terminal）、アクセス端末（Access Terminal）、ユーザ端末（User Terminal）、ユーザエージェント（User Agent）、ユーザ装置（User Device）、ユーザ機器（User Equipment）、PUE、またはVUEと呼ばれることもある。
【００７９】
本願で使用されるネットワーク装置は、基地局、アクセスポイント（Access Point，AP）などであってもよい。基地局は、1つまたは複数のセクタを使用することによってアクセスネットワーク内のエアインタフェースを介してワイヤレス端末と通信する装置であってもよい。基地局は、受信した無線フレームとIPパケットとを相互に変換し、無線端末とアクセスネットワークの残りの部分との間のルータとして機能するように構成されてもよく、アクセスネットワークの残りの部分はインターネットプロトコル（IP）ネットワークを含んでもよい。基地局は、エアインタフェースの属性管理をさらに調整してもよい。例えば、基地局は、LTEにおける5GのgノードB（gNB，g−Node B）、進化型ノードB（NodeB，eNB、またはe−NodeB，evolutional Node B）、さらにはGSM（登録商標）またはCDMAにおける基地トランシーバ局（Base Transceiver Station，BTS）、またはWCDMA（登録商標）におけるノードB（NodeB）である。これはこの用途に限定されない。
【００８０】
説明をわかりやすくするために、システムアーキテクチャが特に5GのURLLCシステムである例を使用して、本発明の技術的解決策を以下に詳細に説明する。詳細は図1を参照されたい。
【００８１】
図1は、本発明によるデータ伝送方法が適用可能なネットワークアーキテクチャの概略図である。図1に示すように、ネットワークアーキテクチャには複数の端末装置群（図1では1つのみ図示）が存在し、ネットワーク装置は端末装置群内の各端末装置と無線通信接続を確立する。以下、図1に基づいて本発明の実施形態におけるデータ伝送方法を詳細に説明する。詳細は図2を参照されたい。
【００８２】
図2は、本発明によるデータ伝送方法の実施形態1のシグナリング図である。データ伝送方法は以下のステップを含む。
【００８３】
101．ネットワーク装置は、N個のスケジューリング情報群を構成し、Nは正の整数である。
【００８４】
本発明のこの実施形態では、N個のスケジューリング情報群は、1つの端末装置群に対して構成され、例えば1つのURLLC端末装置群に対して使用のために構成される。このステップでは、ネットワーク装置は、端末装置群の現在の要件に基づいて、1つの端末装置群のためのN個のスケジューリング情報群を構成し、Nは1以上である。スケジューリング情報は、RA情報および／またはMCS情報を含み、N個のスケジューリング情報群のうちの任意の2つは異なる。このようにして、異なるチャネル品質を有する端末装置に対して、ネットワーク装置は異なるスケジューリング情報に基づいてダウンリンクデータを伝送することができる。例えば、N＝2である。2つのスケジューリング情報群が異なるということは、2のスケジューリング情報群にそれぞれ示されたチャネルリソースが互いに異なり、MCSが互いに異なること、あるいは、2つのスケジューリング情報群にそれぞれ示されたチャネルリソースは互いに異なるが、MCSは同じである、あるいは、2つのスケジューリング情報群にそれぞれ示されたチャネルリソースが同じであるが、MCSは互いに異なること、を意味する。
【００８５】
本発明のこの実施形態では、N個のスケジューリング情報群は、期間内の各伝送時間単位において有効である、あるいは、N個のスケジューリング情報群は、期間内のいくつかの伝送時間単位において有効である。期間は、ネットワーク装置によって構成されるか、または事前構成されており、有限の時間、例えば100msであってもよいし、無限の時間であってもよい。伝送時間単位は伝送時間間隔と呼ばれることもある。期間に含まれる複数の伝送時間単位のうちの任意の2つは同じ持続時間を有するか、または期間に含まれる複数の伝送時間単位のうち少なくとも2つは異なる持続時間を有する。
【００８６】
102．ネットワーク装置が、N個のスケジューリング情報群のうちのM個のスケジューリング情報群に基づいて第1のダウンリンクデータを構成し、少なくとも1片の第1のダウンリンクデータがあり、MはN以下の正の整数である。
【００８７】
このステップでは、ネットワーク装置は、以下の2つの方法を使用することによって第1のダウンリンクデータを構成することができる。
【００８８】
方法1：M個のスケジューリング情報群のそれぞれが1つのチャネルリソースおよび／または1つのMCSを示す場合、M個のスケジューリング情報群は、M個のチャネルリソース、M個のMCS、および／またはM個の冗長バージョン（RV，redundancy version）を示す。ネットワーク装置は、M個のスケジューリング情報群のそれぞれに基づいてM片のダウンリンクデータを構成する。第1のダウンリンクデータはM片のダウンリンクデータを含み、M片のダウンリンクデータは同じ情報を搬送する。例えば、Mは5に等しく、Nは5以上である。M片のダウンリンクデータが同じ情報を搬送する場合、M片のダウンリンクデータも1片のダウンリンクデータと見なされ得ることに留意されたい。これは本発明において限定されない。M片のダウンリンクデータが同じ情報を搬送するということは、M片のダウンリンクデータが同じ元の情報ビットを搬送することを意味する。例えば、M片のダウンリンクデータがそれぞれM個のPDSCHで搬送される場合、M個のPDSCHは同じ元の情報ビットを搬送する。しかしながら、元の情報ビットが異なるMCSに基づいて変調および符号化された後、得られた元の情報ビットは異なる。
【００８９】
M個のチャネルリソースのうちのいずれか1つは、隣接または非隣接周波数領域リソースであり得る。これは本発明において限定されない。任意選択で、M個のチャネルリソースはそれぞれ周波数領域の異なる帯域に配置されるか、またはM個のチャネルリソースは互いに相関がない。
【００９０】
任意選択で、M片のダウンリンクデータは同じ情報を搬送し、別々に自己復号され得る。したがって、第1の端末装置が、1片の第1のダウンリンクデータに含まれるM片のダウンリンクデータのうちの1つを検出できれば、受信は成功したことになる。各チャネルリソースで搬送されるダウンリンクデータのブロック誤り率（BLER）が0．1であると仮定すると、M個のチャネルリソースで搬送されるすべてのダウンリンクデータが誤って送信される確率は10−Mである。例えば、M＝5の場合、第1のダウンリンクデータの信頼性は10−5から1の範囲の値に達する。
【００９１】
方法2：M個のスケジューリング情報群のうちのいずれか1つがi番目のスケジューリング情報群として示され、i番目のスケジューリング情報群がSi個のチャネルリソース、Si個のMCS、および／またはSi個のRVを示す。Siは正の整数である。例えば、Si＝5である。この場合、ネットワーク装置は、M個のスケジューリング情報群のうちi番目のスケジューリング情報群に対してSi片のダウンリンクデータを構成し、第1のダウンリンクデータは、Si片のダウンリンクデータを含み、Si片のダウンリンクデータは、同じ情報を搬送する。すべてのスケジューリング情報片が同じ量のチャネルリソースおよび／または同じ量のMCSを示す場合、ネットワーク装置はM×Si片のダウンリンクデータを構成する。なお、M個のスケジューリング情報群に対応するM個のダウンリンクデータが異なる情報を搬送し、Si片のダウンリンクデータが同じ情報を搬送する場合、Si片のダウンリンクデータは1片のダウンリンクデータと見なされ得る。したがって、ネットワーク装置は、M片のダウンリンクデータに相当するM×Si片のダウンリンクデータを構成する。これは本発明において限定されない。
【００９２】
任意選択で、Si片のダウンリンクデータは同じ情報を搬送し、別々に自己復号され得る。したがって、第1の端末装置が、第1のダウンリンクデータに含まれるSi片のダウンリンクデータのうちの1つを検出できれば、i番目のスケジューリング情報群に対応するダウンリンクデータの受信に成功したことになる。
【００９３】
Si個のチャネルリソースのうちのいずれか1つは、隣接または非隣接周波数領域リソースであり得る。これは本発明において限定されない。任意選択で、Si個のチャネルリソースはそれぞれ周波数領域の異なる帯域に配置されるか、またはSi個のチャネルリソースは互いに相関がない。
【００９４】
任意選択で、Si個の第1のダウンリンクデータは同じ情報を搬送し、別々に自己復号され得る。したがって、第1の端末装置が、第1のダウンリンクデータに含まれるSi片のダウンリンクデータのうちの1つを検出できれば、i番目のスケジューリング情報群に対応する第1のダウンリンクデータの受信に成功したことになる。
【００９５】
任意選択で、このステップでは、第1のダウンリンクデータパケットは単に最初に送信されたパケットであり、再送信されたパケットはない。言い換えれば、ネットワーク装置は、第1の端末装置が第1のダウンリンクデータを正しく受信したと常に見なす。第1のダウンリンクデータの信頼性は10−5から1の範囲の値であるため、ハイブリッド自動再送要求（Hybrid Automatic Repeat Request，HARQ）をサポートする必要はない。
【００９６】
103．ネットワーク装置が、第1の伝送時間単位で第1のダウンリンクデータを第1の端末装置に送信する。
【００９７】
第1のダウンリンクデータを構成した後、ネットワーク装置は、第1の伝送時間単位で第1のダウンリンクデータを第1の端末装置に送信する。第1の端末装置は、端末装置群のうちの1つの端末装置である。
【００９８】
104．第1の端末装置が、N個のスケジューリング情報群を決定し、Nは正の整数である。
【００９９】
ネットワーク装置は、上位レイヤシグナリングまたは物理レイヤシグナリングを使用することによって、端末装置群内の第1の端末装置にN個のスケジューリング情報群を指示することができる。これに対応して、第1の端末装置は、ネットワーク側の装置によって構成されたN個のスケジューリング情報群を決定する。
【０１００】
105：第1の端末装置が、N個のスケジューリング情報群に基づいて第1の伝送時間単位で第1のダウンリンクデータを検出する。
【０１０１】
このステップでは、第1の端末装置は、N個のスケジューリング情報群に基づいて、第1の伝送時間単位で第1のダウンリンクデータを検出する。具体的には、第1の端末装置は、受信データに対して巡回冗長検査（Cyclic Redundancy Check，CRC）を行う。CRCチェックが成功した場合、第1のダウンリンクデータが検出されたと見なされ、あるいはCRCチェックが失敗した場合、第1のダウンリンクデータは検出されていないと見なされる。したがって、ステップ105の実行は2つの場合を含む。第1の場合、第1の端末装置は、N個のスケジューリング情報群に基づいて、第1の伝送時間単位内に第1のダウンリンクデータを検出しない。つまり、第1の端末装置は、第1のダウンリンクデータを受信しない。第2の場合、第1の端末装置は、N個のスケジューリング情報群に基づいて、第1の伝送時間単位で第1のダウンリンクデータを検出する。第1のダウンリンクデータは、N個のスケジューリング情報群のうちのM個のスケジューリング情報群に基づいてネットワーク装置によって構成され、第1のダウンリンクデータは、少なくとも1片のダウンリンクデータを含み、M≦Nである。
【０１０２】
M個のスケジューリング情報群のそれぞれが1つのチャネルリソースおよび／または1つのMCSを示す場合、第1のダウンリンクデータはM片のダウンリンクデータを含み、M片のダウンリンクデータは同じ情報を搬送する。この場合、第1の端末が、1片の第1のダウンリンクデータに含まれるM片のダウンリンクデータのうちの1つを検出できれば、第1のダウンリンクデータの受信に成功したことになる。あるいは、M個のスケジューリング情報群のうちi番目のスケジューリング情報群がSi個のチャネルリソースおよび／またはSi個のMCSを示す場合、第1のダウンリンクデータは、Si片のダウンリンクデータを含み、i番目のスケジューリング情報群に基づいてネットワーク装置によって構成された第1のダウンリンクデータはSi片のダウンリンクデータを含み、Si片のダウンリンクデータは同じ情報を搬送する。この場合、第1の端末が、Si片のダウンリンクデータのうちの1つを検出できれば、i番目のスケジューリング情報群に基づいてネットワーク装置によって構成された第1のダウンリンクデータの受信に成功したことになる。
【０１０３】
実現可能な実装形態では、第1のダウンリンクデータはM片のダウンリンクデータを含み、M片のダウンリンクデータは同じ情報を搬送し、第1の端末装置がN個のスケジューリング情報群に基づいて第1の伝送時間単位で第1のダウンリンクデータを検出することは、第1の端末装置が、第1の伝送時間単位で、M個のスケジューリング情報群に示されるM個のチャネルリソースからM片のダウンリンクデータを抽出すること、および／または、第1の端末装置が、M個のスケジューリング情報群に示されるM個のMCSに基づいて、第1の伝送時間単位でM片のダウンリンクデータを復調すること、を含む。
【０１０４】
他の実現可能な実施形態では、M個のスケジューリング情報は、N個のスケジューリング情報群のうちのi番目のスケジューリング情報群を含み、第1のダウンリンクデータは、Si片のダウンリンクデータを含み、第1の端末装置が、N個のスケジューリング情報群に基づいて第1の伝送時間単位で第1のダウンリンクデータを検出することは、第1の端末装置が、i番目のスケジューリング情報群に基づいてSi片のダウンリンクデータを検出すること、を含み、ここで、Si片のダウンリンクデータは同じ情報を搬送する。第1のダウンリンクデータはSj片のダウンリンクデータをさらに含み、M個のスケジューリング情報群はN個のスケジューリング情報群のうちj番目のスケジューリング情報群をさらに含み、j番目のスケジューリング情報群とi番目のスケジューリング情報群は異なり、第1の端末装置が、N個のスケジューリング情報群に基づいて第1の伝送時間単位で第1のダウンリンクデータを検出することは、第1の端末装置が、j番目のスケジューリング情報群に基づいてSj片のダウンリンクデータを検出することを含み、ここで、Sj片のダウンリンクデータは同じ情報を搬送し、Sj片のダウンリンクデータで搬送される情報はSi片のダウンリンクデータで搬送される情報とは異なり、Sjは正の整数である。
【０１０５】
なお、ステップ101からステップ105は、101から105の順序で実行されなくてもよい。例えば、ステップ104は、ステップ102またはステップ103の前に実行されてもよい。これは本発明において限定されない。
【０１０６】
本発明の実施形態で提供されるデータ伝送方法によれば、ネットワーク装置は、端末装置群の要件に基づいてN個のスケジューリング情報群を構成し、N個のスケジューリング情報群のうちのM個のスケジューリング情報群に基づいて少なくとも1片のダウンリンクデータを構成し、第1の伝送時間単位で第1のダウンリンクデータを第1の端末装置に送信する。これに対応して、第1の端末装置は、N個のスケジューリング情報群を決定し、N個のスケジューリング情報群に基づいて第1の伝送時間単位で第1のダウンリンクデータを検出する。このプロセスでは、第1のダウンリンクデータは少なくとも1片のダウンリンクデータを含み、少なくとも1片のダウンリンクデータは同じ情報を搬送する。したがって、第1の端末装置が第1のダウンリンクデータから1片のダウンリンクデータを正しく検出できれば、データの受信に成功したことになる。このように、第1のダウンリンクデータは、複数回の伝送と1回の検出に成功することで、正常に伝送され得るので、信頼性の高いデータ伝送が実現される。さらに、大量の制御オーバヘッドを導入することなく、PDCCH動的スケジューリングの低い信頼性が回避されるだけでなく、リンクアダプテーションも得られる。
【０１０７】
任意選択で、前述の実施形態では、M個のスケジューリング情報群のそれぞれは、1つのチャネルリソースおよび／または1つのMCSを示す。詳細については、図3Aを参照されたい。図3Aは、本発明によるデータ伝送方法におけるスケジューリング情報の例示的な概略図である。
【０１０８】
図3Aを参照すると、M＝5が例として使用されている。M個のスケジューリング情報群は、図中に示す第1のスケジューリング情報群から第5のスケジューリング情報群（図中に5つのパターンで塗りつぶされた部分として示される）を含み、5つのスケジューリング情報群は、それぞれ異なる帯域に配置され、各スケジューリング情報群のチャネルリソースは、隣接周波数領域リソースである。この場合、第1のダウンリンクデータはM片のダウンリンクデータを含み、ネットワーク装置がN個のスケジューリング情報群のうちのM個のスケジューリング情報群に基づいて第1のダウンリンクデータを構成することは、ネットワーク装置が、M個のスケジューリング情報群に示されるM個の変調符号化方式MCSに基づいて、M片のダウンリンクデータを変調するステップ、および、ネットワーク装置が、ダウンリンクデータをM個のスケジューリング情報群に示されるM個のチャネルリソースにそれぞれマッピングするステップのうちの少なくとも一方を含む。このプロセスでは、M個の第1のダウンリンクデータは同じ情報を搬送する。
【０１０９】
上述の実施形態では、M個のスケジューリング情報群に基づいてネットワーク装置によって構成される第1のダウンリンクデータは、同じ情報を搬送するM片のダウンリンクデータを含み、同じ情報を搬送するM片のダウンリンクデータは、第1の伝送時間単位で第1の端末装置に送信され、これにより、第1の端末装置は、M片のダウンリンクデータを検出する。これは、Mが1より大きい場合に主に当てはまる。
【０１１０】
任意選択で、前述の実施形態では、M個のスケジューリング情報群のうちのいずれか1つがi番目のスケジューリング情報群として示され、i番目のスケジューリング情報群がSi個のチャネルリソースを示す、またはi番目のスケジューリング情報群がSi個のチャネルリソースおよびSi個のMCSを示す、またはi番目のスケジューリング情報群がSi個のチャネルリソース、Si個のMCS、およびSi個の冗長バージョン（Redundancy Version，RV）を示し、ここで、Siは1より大きい整数である。この場合、第1のダウンリンクデータは、Si片のダウンリンクデータを含む。例えば、Si＝5であり、Si個のチャネルリソースはそれぞれ周波数領域の異なる帯域に配置されるか、またはSi個のチャネルリソースは互いに相関がない。各帯域内のチャネルリソースは、隣接または非隣接周波数領域リソースであり得る。これは、本発明のこの実施形態において限定されない。さらに、本発明のこの実施形態では、Si個のチャネルリソース上で搬送されるダウンリンクデータは、別々に自己復号され得る。具体的には、ネットワーク装置は、上記のいずれかの組み合わせに基づいて、第1のダウンリンクデータに含まれるSi片のダウンリンクデータを構成する。その後、ネットワーク装置は、Si片のダウンリンクデータをSi個のチャネルリソース上で送信する。詳細は図3Bを参照されたい。図3Bは、本発明によるデータ伝送方法におけるスケジューリング情報の他の例示的な概略図である。
【０１１１】
図3Bを参照すると、Si＝5が例として使用されている。i番目のスケジューリング情報群は、Si個のチャネルリソースを示し、Si個のチャネルリソースは、それぞれ異なる帯域に配置されている（図中に斜め格子で塗りつぶされたパターンとして示される）。この場合、ネットワーク装置によって構成される第1のダウンリンクデータは、M個のスケジューリング情報群のうちi番目のスケジューリング情報群についてのSi片のダウンリンクデータを含み、Si片のダウンリンクデータは同じ情報を搬送する。具体的には、i番目のスケジューリング情報群に対応する第1のダウンリンクデータは、Si片のダウンリンクデータを含み、ネットワーク装置が第1のダウンリンクデータに含まれるSi片のダウンリンクデータを構成することは、ネットワーク装置が、i番目のスケジューリング情報群に示されるSi個のMCSに基づいてSi片のダウンリンクデータを変調するステップ、およびネットワーク装置が、Si片のダウンリンクデータをSi個のチャネルリソースにそれぞれマッピングするステップのうちの少なくとも一方を含む。
【０１１２】
上記の実施形態では、各チャネルリソースで搬送されるダウンリンクデータのブロック誤り率（BLER）が0．1であると仮定すると、Si個のチャネルリソースで搬送されるすべてのダウンリンクデータが送信されるときにエラーが発生する確率は10−Siである。例えば、Si＝5の場合、第1のダウンリンクデータの信頼性は10−5から1の範囲の値に達する。
【０１１３】
前述の実施形態では、i番目のスケジューリング情報群内のチャネルリソースは、非連続的な周波数領域リソースである。前述の方法に加えて、ネットワーク装置は、別の方法で、M個のスケジューリング情報群のうちのi番目のスケジューリング情報群のための第1のダウンリンクデータを構成し得る。例えば、ネットワーク装置は、第1のダウンリンクデータに含まれる1片のダウンリンクデータを非連続的な周波数領域リソースでのみ送信する。10−5から1の範囲の値の信頼性を達成するには、極めて低いMCSが必要である。この場合、ネットワーク装置が、N個のスケジューリング情報群のうちのM個のスケジューリング情報群に基づいて第1のダウンリンクデータを構成することは、ネットワーク装置が、i番目のスケジューリング情報群に示される極めて低いMCSに基づいて1片のダウンリンクデータを変調するステップ、およびネットワーク装置が、i番目のスケジューリング情報群に示されるチャネルリソース上にダウンリンクデータ片をマッピングするステップのうちの少なくとも一方を含む。
【０１１４】
上記の実施形態では、ネットワーク装置は、同じ方法で、M個のスケジューリング情報群のうちi番目のスケジューリング情報群以外のスケジューリング情報、例えばj番目のスケジューリング情報群を処理する（sj＝5とすると、図3Bでは、j番目のスケジューリング情報群に示されるsj個のスケジューリング情報群が斜線で塗りつぶされた部分として示されている）。詳細はここでは再度説明しない。
【０１１５】
上記の実施形態では、M個のスケジューリング情報群のうちi番目のスケジューリング情報群について、ネットワーク装置によって構成される第1のダウンリンクデータはSi片のダウンリンクデータを含み、Si片のダウンリンクデータは同じ情報を搬送し、これにより、第1の端末装置は、Si片のダウンリンクデータを検出する。これは主にM＝1またはM＝2の場合に当てはまる。
【０１１６】
任意選択で、本発明の一実施形態では、図2に示すデータ伝送方法は、N個のスケジューリング情報群のうちのP個のスケジューリング情報群に基づいてネットワーク装置によって、P個のスケジューリング情報群に対応する第2のダウンリンクデータを構成するステップであって、P≦Nである、ステップと、第2の伝送時間単位でネットワーク装置によって、P個のスケジューリング情報群に対応する第2のダウンリンクデータを第2の端末装置に送信するステップであって、第2の端末装置は端末装置群内の第1の端末装置以外の端末装置である、ステップと、をさらに含む。PはN以下の正の整数である。このプロセスにおいて、ネットワーク装置がP個のスケジューリング情報群に基づいて第2のダウンリンクデータをどのように構成するかについては、102を参照されたい。詳細はここでは再度説明しない。
【０１１７】
実現可能な実装形態では、ネットワーク装置がM個のスケジューリング情報群に基づいて構成された第1のダウンリンクデータを送信する第1の伝送時間単位は、ネットワーク装置がP個のスケジューリング情報群に基づいて構成された第2のダウンリンクデータを送信する第2の伝送時間単位と重ならず、M個のスケジューリング情報群は、P個のスケジューリング情報群と同じ、部分的に同じ、または異なる。詳細については、図4Aおよび図4Bを参照されたい。図4Aは、本発明によるデータ伝送方法における伝送時間単位とスケジューリング情報の例示的な概略図であり、図4Bは、本発明によるデータ伝送方法における伝送時間単位とスケジューリング情報の別の例示的な概略図である。
【０１１８】
図4Aを参照すると、第1の端末装置は第1の伝送時間単位0に位置するUE1であり、第2の端末装置は第2の伝送時間単位1に位置するUE2であり、第1の端末装置と第2の端末装置は異なるスケジューリング情報を使用する。図4Bを参照すると、第1の端末装置UE1は第1の伝送時間単位0に位置し、第2の端末装置UE2は第2の伝送時間単位1に位置し、第1の端末装置と第2の端末装置は同じスケジューリング情報を使用する。
【０１１９】
別の実現可能な実装形態では、ネットワーク装置がM個のスケジューリング情報群に基づいて構成された第2のダウンリンクデータを送信する第1の伝送時間単位は、ネットワーク装置がP個のスケジューリング情報群に基づいて構成された第2のダウンリンクデータを送信する第2の伝送時間単位と重なるかまたは部分的に重なり、M個のスケジューリング情報群は、P個のスケジューリング情報群と異なる。詳細は図4Cを参照されたい。図4Cは、本発明によるデータ伝送方法における伝送時間単位とスケジューリング情報のさらに別の例示的な概略図である。
【０１２０】
図4Cを参照すると、第1の端末装置UE1と第2の端末装置は共に第1の伝送時間単位0内に位置するが、第1の端末装置と第2の端末装置は互いに異なるスケジューリング情報を使用する。
【０１２１】
URLLCサービスは待ち時間が短いという特徴を有する。つまり、サービスはいつでも送信される。そのため、端末装置にリソースを予約する必要がある。しかしながら、各端末装置に1つまたは複数のチャネルリソースが予約されており、各端末装置が他の端末装置のチャネルリソースを使用することができない場合、URLLCシステムには大量の予約リソースが存在する。本発明のこの実施形態では、ネットワーク装置は、1つの端末装置群に対してN個のスケジューリング情報群を構成し、1つまたは複数のチャネルリソースで、端末装置群内で伝送要件を有する1つまたは複数のUEにダウンリンクデータを送信する。複数のUEはチャネルリソースを再利用し、それによってチャネルリソースの利用率を高める。
【０１２２】
任意選択で、前述の実施形態では、ネットワーク装置は、第1の伝送時間単位で第1のダウンリンクデータを第1の端末装置に送信する前に、スケジューリング情報指示シグナリングを第1の端末装置および／または第2の端末装置にさらに送信する。スケジューリング情報指示シグナリングは、N個のスケジューリング情報群を指示するために使用される。スケジューリング情報指示シグナリングは、専用RRCシグナリングまたはブロードキャストシグナリングなどの上位レイヤシグナリングである。あるいは、スケジューリングシグナリングは物理レイヤシグナリングであり得る。物理レイヤシグナリングは、群固有の物理レイヤシグナリングである。言い換えれば、各端末装置群は、1片の物理レイヤシグナリングに対応する。データ伝送の信頼性を10−5から1の範囲の値にするには、物理レイヤシグナリングの信頼性を10−5から1の範囲の値よりも大きくする必要がある。本発明のこの実施形態では、物理レイヤシグナリングは、より多くのチャネルリソースを占有することによって信頼性指標に到達することができる。したがって、端末装置への固有の物理レイヤシグナリングの使用と比較して、群固有の物理レイヤシグナリングの使用はオーバヘッドを大幅に削減することができる。
【０１２３】
任意選択で、対応して、ステップ104の前に、方法は、第1の端末装置によって、スケジューリング情報指示シグナリングを受信するステップをさらに含み、スケジューリング情報指示シグナリングは、N個のスケジューリング情報群を指示するために使用される。
【０１２４】
前述の実施形態では、物理レイヤシグナリングを送信するとき、ネットワーク装置は、期間Tに基づいて物理レイヤシグナリングを送信することができる。例えば、ネットワーク装置は、物理レイヤシグナリングを第1の端末装置および／または第2の端末装置に1周期（T）おきに送信する。期間Tは、1ミリ秒、0．5ミリ秒、0．25ミリ秒、0．125ミリ秒、10ミリ秒、2ミリ秒、1伝送時間単位、2伝送時間単位、3伝送時間単位、または4伝送時間単位などの正の数である。期間Tは、ネットワーク装置によって構成されるか、または予め定義されている。
【０１２５】
前述の実施形態では、ネットワーク装置は、物理レイヤシグナリングをセミパーシステント（Semi−Persistent）方式で送信することができる。この場合、ネットワーク装置は、期間Tに基づいて物理レイヤシグナリングを端末装置に送信する。例えば、ネットワーク装置は、物理レイヤシグナリングが更新されたかどうかを1周期（T）おきに検出し、物理レイヤシグナリングが更新されると、新しい物理レイヤシグナリングを送信する。
【０１２６】
前述の実施形態では、N個のスケジューリング情報群が事前構成されている。N個の事前構成されたスケジューリング情報群は頻繁に変更する必要がないので、上位レイヤシグナリングを使用してN個のスケジューリング情報群を示すことができる。この場合、ネットワーク装置は、異なる端末装置群に対して上位レイヤシグナリングを送信して、N個のスケジューリング情報群を示す。例えば、上位レイヤシグナリングは、無線リソース制御（Radio Resource Control，RRC）シグナリングまたはメディアアクセス制御（Media Access Control，MAC）シグナリングである。
【０１２７】
前述の実施形態では、URLLCサービスはいつでもトリガされ得るので、第1のダウンリンクデータに対して実行されたCRCチェックが成功すると、端末装置は第1のダウンリンクデータを正常に受信すると見なされる。端末装置が第1のダウンリンクデータに対してブラインド検出をリアルタイムで実行することを防止するために、ダウンリンクデータ指示シグナリングが本発明のこの実施形態において導入される。具体的には、第1のダウンリンクデータを送信するための各伝送時間単位において、ネットワーク装置はダウンリンクデータ指示シグナリングをさらに送信し、ダウンリンクデータ指示シグナリングはダウンリンクデータが第1の伝送時間内に送信されるかどうかを示すために使用される。ダウンリンクデータは、一般的な意味で使用され、ネットワーク装置によってサービス提供される任意の端末装置に送信され得る。ダウンリンクデータ指示シグナリングが、ダウンリンクデータが送信されることを示すと、URLLCサービスを受信することができかつネットワーク装置によってサービス提供される任意の端末装置は、ダウンリンクデータを検出する必要がある。例えば、ネットワーク装置は、第1の伝送時間単位でダウンリンクデータ指示シグナリングを送信する。ダウンリンクデータ指示シグナリングが、ダウンリンクデータが第1の伝送時間単位で送信されることを示す場合、ダウンリンクデータが第1の端末装置に送信されなくても、第1の端末装置は、第1の伝送時間単位で第1のダウンリンクデータに対してブラインド検出をなお実行し、そうでなければ、第1の端末装置は、第1の伝送時間単位で第1のダウンリンクデータに対してブラインド検出を実行する必要がない。例えば、ダウンリンクデータ指示シグナリングは物理レイヤシグナリングである。物理レイヤシグナリングの信頼性は非常に高い必要があり、例えば、10−5から1の範囲の値よりも大きい必要がある。これに対応して、第1の端末装置は、第1の伝送時間内にダウンリンクデータ指示シグナリングをさらに受信する。
【０１２８】
図5は、本発明によるデータ伝送方法の実施形態2のシグナリング図である。データ伝送方法は以下のステップを含む。
【０１２９】
201．ネットワーク装置が、第1の伝送時間単位で第1のダウンリンクデータを第1の端末装置に送信し、第1のダウンリンクデータに含まれる少なくとも1つのトランスポートブロックはスケジューリング情報を含む。
【０１３０】
このステップでは、ネットワーク装置が、スケジューリング情報を含む第1のダウンリンクデータを第1の伝送時間単位で第1の端末装置に送信し、スケジューリング情報は、第1のダウンリンクデータに含まれる少なくとも1つのトランスポートブロックに含まれる。
【０１３１】
202．ネットワーク装置が、スケジューリング情報に基づいて第2のダウンリンクデータを構成する。
【０１３２】
このステップでは、ネットワーク装置は、スケジューリング情報に示されたチャネルリソース、MCS、またはRBバージョンなどのスケジューリング情報に基づいて第2のダウンリンクデータを構成する。
【０１３３】
203．ネットワーク装置が、第2の伝送時間単位で第2のダウンリンクデータを第1の端末装置に送信し、第1の伝送時間単位は第2の伝送時間単位より早い。
【０１３４】
このステップでは、ネットワーク装置は、第1の伝送時間単位よりも遅い第2の伝送時間単位で第2のダウンリンクデータを第1の端末装置に送信する。これに対応して、第1の端末装置は、第1の伝送時間単位で第1のダウンリンクデータを受信する。
【０１３５】
204．第1の端末装置が、スケジューリング情報に基づいて第2の伝送時間単位で第2のダウンリンクデータを復調する。
【０１３６】
このステップでは、第1の端末装置は第2の伝送時間単位で受信された第2のダウンリンクデータを復調し、第2のダウンリンクデータはスケジューリング情報に基づいてネットワーク装置によって構成される。
【０１３７】
本発明のこの実施形態で提供されるデータ伝送方法によれば、ネットワーク装置は、第1の伝送時間単位で第1のダウンリンクデータを第1の端末装置に送信し、第1のダウンリンクデータに含まれる少なくとも1つのトランスポートブロックはスケジューリング情報を含み、スケジューリング情報に基づいて第2のダウンリンクデータを構成し、第2の伝送時間単位で第2のダウンリンクデータを第1の端末装置に送信する。これに対応して、第1の端末装置は、受信した第2のダウンリンクデータを第2の伝送時間単位で復調する。このプロセスでは、ネットワーク装置は、まずスケジューリング情報を第1の端末装置に送信し、その後、スケジューリング情報に基づいて構成されたダウンリンクデータを第1の端末装置に送信し、このため、第1の端末装置は、スケジューリング情報に基づいてダウンリンクデータを検出することができ、それによって信頼性の高いデータ伝送を実現する。さらに、大量の制御オーバヘッドを導入することなく、PDCCH動的スケジューリングの低い信頼性が回避されるだけでなく、リンクアダプテーションも得られる。
【０１３８】
任意選択で、第1のダウンリンクデータは1つまたは2つのトランスポートブロックを含む。第1のダウンリンクデータにおける1つのトランスポートブロックは、スケジューリング情報を含む。スケジューリング情報はトランスポートブロックのXビットを占有する。例えば、スケジューリング情報はトランスポートブロックの最初のXビットまたは最後のXビットを占有する。言い換えれば、トランスポートブロックの最初のXビットまたは最後のXビットがスケジューリング情報である。Xは1以上の整数である。詳細は図6Aを参照されたい。図6Aは、本発明によるデータ伝送方法におけるスケジューリング情報を含むトランスポートブロックの概略図である。図6Aを参照すると、トランスポートブロックの最初のXビット、例えば、ダウンリンク共有チャネル（Downlink share channel，DL−SCH）は、スケジューリング情報である。
【０１３９】
任意選択で、第1のダウンリンクデータは2つのトランスポートブロックを含む。スケジューリング情報は、2つのトランスポートブロックのそれぞれのXビットを占有する。例えば、スケジューリング情報は、2つのトランスポートブロックのそれぞれの最初のXビットまたは最後のXビットに位置する。言い換えれば、2つのトランスポートブロックのそれぞれの最初のXビットまたは最後のXビットがスケジューリング情報である。
【０１４０】
任意選択で、前述の実施形態では、スケジューリング情報に加えて、トランスポートブロックはスケジューリング情報指示フィールド情報をさらに含むことができる。スケジューリング情報指示フィールド情報は、第1のダウンリンクデータ内の1つまたは2つのトランスポートブロックのYビットを占有する。例えば、スケジューリング情報指示フィールド情報は、1つまたは2つのトランスポートブロックの最初のYビットを占有し、スケジューリング情報は、Yビットの後のXビットを占有する。スケジューリング情報指示フィールド情報は、スケジューリング情報が第1のダウンリンクデータに存在するか否かを指示するために使用される。スケジューリング情報指示フィールド情報が、第1のダウンリンクデータがスケジューリング情報を含むことを示す場合、第1の端末装置は第1のダウンリンクデータがスケジューリング情報を含むと見なし、そうでなければ、第1の端末装置は、第1のダウンリンクデータがスケジューリング情報を含まないと見なす。詳細は図6Bを参照されたい。図6Bは、本発明によるデータ伝送方法におけるスケジューリング情報指示フィールド情報とスケジューリング情報とを含むトランスポートブロックの概略図である。図6Bを参照すると、トランスポートブロックの最初のYビット、例えばダウンリンク共有チャネル（Downlink share channel，DL−SCH）はスケジューリング情報指示フィールド情報であり、Yビットに隣接するXビットはスケジューリング情報である。Yは1または他の値に等しい。スケジューリング情報が必要でないとき、ネットワーク装置は、スケジューリング情報によって占有されたリソースをリリースするために、スケジューリング情報が含まれないことを示すようにスケジューリング情報指示フィールド情報を構成することができる。
【０１４１】
前述の実施形態では、スケジューリング情報を搬送するトランスポートブロック内のすべての情報に対してジョイントコーディングが実行される。具体的には、スケジューリング情報とDL−SCHデータ情報との両方に対してジョイントコーディングが実行されるか、またはスケジューリング情報指示情報、スケジューリング情報、およびDL−SCHデータ情報のすべてに対してジョイントコーディングが実行される。第1の端末装置がCRCチェックを正しく実行すると、トランスポートブロック内にあるスケジューリング情報およびデータ情報が正しく受信されたと見なされる。
【０１４２】
上述の実施形態では、第1のダウンリンクデータに含まれるスケジューリング情報は、その後にダウンリンクデータを伝送するために使用される。具体的には、ネットワーク装置は、スケジューリング情報に基づいて第2のダウンリンクデータを構成し送信する。詳細は図7を参照されたい。図7は、本発明によるデータ伝送方法における第1のダウンリンクデータのスケジューリング情報に示されるチャネルリソースの例示的な概略図である。
【０１４３】
図7を参照すると、第1の伝送時間単位0において、第1の端末装置は、第3スケジューリング情報群に示されたチャネルリソース上でネットワーク装置によって送信された第1のダウンリンクデータを受信する。第1のダウンリンクデータに含まれるトランスポートブロックはスケジューリング情報を含み、スケジューリング情報に示されるチャネルリソースは第2の伝送時間単位1に位置する。
【０１４４】
また、本発明のこの実施形態では、図2に示す実施形態と図5に示す実施形態とを組み合わせてデータを送信するようにしてもよい。詳細は図8を参照されたい。図8は、本発明によるデータ伝送方法の実施形態3のシグナリング図である。データ伝送方法は以下のステップを含む。
【０１４５】
301．ネットワーク装置が、N個のスケジューリング情報群を構成し、Nは正の整数である。
【０１４６】
302．ネットワーク装置が、N個のスケジューリング情報群のうちの1つに基づいて第1のダウンリンクデータを構成し、第1のダウンリンクデータに含まれる少なくとも1つのトランスポートブロックはスケジューリング情報を含む。
【０１４７】
303．ネットワーク装置が、第1の伝送時間単位で第1のダウンリンクデータを第1の端末装置に送信する。
【０１４８】
これに対応して、第1の端末装置は、第1の伝送時間単位で、N個のスケジューリング情報群のうちの1つに基づいてネットワーク装置によって構成された第1のダウンリンクデータを受信する。
【０１４９】
304．ネットワーク装置が、スケジューリング情報に基づいて第2のダウンリンクデータを構成する。
【０１５０】
305．ネットワーク装置が、第2の伝送時間単位で第2のダウンリンクデータを第1の端末装置に送信する。
【０１５１】
306．第1の端末装置は、ネットワーク装置によって構成されたN個のスケジューリング情報群を決定し、Nは正の整数である。
【０１５２】
307．第1の端末装置が、スケジューリング情報に基づいて第2の伝送時間単位で第2のダウンリンクデータを復調する。
【０１５３】
ステップ301およびステップ306の詳細については、ステップ101およびステップ104を参照されたい。詳細はここでは再度説明しない。
【０１５４】
図9は、本発明によるネットワーク装置の実施形態1の概略構成図である。この実施形態で提供されるネットワーク装置は、ネットワーク装置に適用されかつ図2および本発明の任意選択の実施形態で提供される方法のステップを実施することができる。具体的な実施プロセスはここでは再度説明されない。具体的には、この実施形態で提供されるネットワーク装置は、
N個のスケジューリング情報群を構成し、Nは正の整数であり、N個のスケジューリング情報群のうちのM個のスケジューリング情報群に基づいて第1のダウンリンクデータを構成し、第1のダウンリンクデータは少なくとも1片のダウンリンクデータを含み、MはN以下の正の整数である、ように構成された処理モジュール11と、
第1の伝送時間単位で第1のダウンリンクデータを第1の端末装置に送信するように構成されたトランシーバモジュール12とを含む。
【０１５５】
本発明のこの実施形態で提供されるネットワーク装置は、端末装置群の要件に基づいてN個のスケジューリング情報群を構成し、N個のスケジューリング情報群のうちのM個のスケジューリング情報群に基づいて少なくとも1片のダウンリンクデータを構成し、第1の伝送時間単位で第1のダウンリンクデータを第1の端末装置に送信する。これに対応して、第1の端末装置は、N個のスケジューリング情報群を決定し、N個のスケジューリング情報群に基づいて第1の伝送時間単位で第1のダウンリンクデータを検出する。このプロセスでは、第1のダウンリンクデータは少なくとも1片のダウンリンクデータを含み、少なくとも1片のダウンリンクデータは同じ情報を搬送する。したがって、第1の端末装置が第1のダウンリンクデータから1片のダウンリンクデータを正しく検出できれば、データの受信に成功したことになる。このように、第1のダウンリンクデータは、複数回の伝送と1回の検出に成功することで、正常に伝送され得るので、信頼性の高いデータ伝送が実現される。さらに、大量の制御オーバヘッドを導入することなく、PDCCH動的スケジューリングの低い信頼性が回避されるだけでなく、リンクアダプテーションも得られる。
【０１５６】
任意選択で、本発明の一実施形態では、第1のダウンリンクデータはM片のダウンリンクデータを含み、M片のダウンリンクデータは同じ情報を搬送し、N個のスケジューリング情報群のうちのM個のスケジューリング情報群に基づいて第1のダウンリンクデータを構成するとき、処理モジュール11は、M個のスケジューリング情報群に示されるM個の変調符号化方式MCSに基づいて、M片のダウンリンクデータを特に個別に変調する、および／またはM片のダウンリンクデータを、M個のスケジューリング情報群に示されるM個のチャネルリソースにそれぞれマッピングする。
【０１５７】
任意選択で、本発明の一実施形態では、M個のスケジューリング情報群は、N個のスケジューリング情報群のうちのi番目のスケジューリング情報群を含み、i番目のスケジューリング情報群はSi個のチャネルリソースを示すか、またはi番目のスケジューリング情報群はSi個のチャネルリソースおよびSi個のMCSを示すか、またはi番目のスケジューリング情報群はSi個のチャネルリソース、Si個のMCS、およびSi個の冗長バージョンRVを示す。
【０１５８】
Siは1より大きい整数である。
【０１５９】
任意選択で、本発明の一実施形態では、第1のダウンリンクデータはSi片のダウンリンクデータを含み、処理モジュール11は、N個のスケジューリング情報群のうちのM個のスケジューリング情報群に基づいて第1のダウンリンクデータを構成するときにi番目のスケジューリング情報群に基づいてSi片のダウンリンクデータを特に構成し、Si片のダウンリンクデータは同じ情報を搬送する。
【０１６０】
任意選択で、本発明の一実施形態では、第1のダウンリンクデータはSj片のダウンリンクデータをさらに含み、M個のスケジューリング情報群は、N個のスケジューリング情報群のうちのj番目のスケジューリング情報群を含み、j番目のスケジューリング情報群およびi番目のスケジューリング情報群は異なるスケジューリング情報であり、処理モジュール11は、N個のスケジューリング情報群のうちのM個のスケジューリング情報群に基づいて第1のダウンリンクデータを構成するときに、j番目のスケジューリング情報群に基づいてSj片のダウンリンクデータを特に構成し、Sj片のダウンリンクデータは同じ情報を搬送する。
【０１６１】
Sj片のダウンリンクデータで搬送される情報は、Si片のダウンリンクデータで搬送される情報とは異なり、Sjは正の整数である。
【０１６２】
任意選択で、本発明の一実施形態では、処理モジュール11は、N個のスケジューリング情報群のうちのP個のスケジューリング情報群に基づいて第2のダウンリンクデータを構成するようにさらに構成され、PはN以下の正の整数である。
【０１６３】
トランシーバモジュール12は、第2の伝送時間単位で第2のダウンリンクデータを第2の端末装置に送信するようにさらに構成される。
【０１６４】
任意選択で、本発明の一実施形態では、第1の伝送時間単位は第2の伝送時間単位と重ならず、M個のスケジューリング情報群は、P個のスケジューリング情報群と同じ、部分的に同じ、または異なるか、あるいは
第1の伝送時間単位は第2の伝送時間単位と重なるかまたは部分的に重なり、M個のスケジューリング情報群は、P個のスケジューリング情報群と異なる。
【０１６５】
任意選択で、本発明の一実施形態では、トランシーバモジュール12は、第1の伝送時間単位で第1のダウンリンクデータを第1の端末装置に送信する前に、第1の端末装置および／または第2の端末装置にスケジューリング情報指示シグナリングを送信するようにさらに構成され、スケジューリング情報指示シグナリングは、N個のスケジューリング情報群を指示するために使用され、スケジューリング情報指示シグナリングは、上位レイヤシグナリングまたは物理レイヤシグナリングである。
【０１６６】
任意選択で、本発明の一実施形態では、トランシーバモジュール12は、第1の伝送時間単位でダウンリンクデータ指示シグナリングを第1の端末装置に送信するようにさらに構成され、ダウンリンクデータ指示シグナリングは、第1のダウンリンクデータが第1の伝送時間内に送信されるかどうかを示すために使用される。
【０１６７】
図10は、本発明による端末装置の実施形態1の概略構成図である。この実施形態で提供される端末装置は、端末装置に適用されかつ図2および本発明の任意選択の実施形態で提供される方法のステップを実施することができる。具体的な実施プロセスはここでは再度説明されない。具体的には、この実施形態で提供される端末装置は、
N個のスケジューリング情報群を決定し、Nは正の整数であり、N個のスケジューリング情報群に基づいて第1の伝送時間単位で第1のダウンリンクデータを検出し、第1のダウンリンクデータは少なくとも1片のダウンリンクデータを含む、ように構成された処理モジュール21を含む。
【０１６８】
本発明のこの実施形態で提供される端末装置は、具体的には第1の端末装置である。ネットワーク装置は、端末装置群の要件に基づいてN個のスケジューリング情報群を構成し、N個のスケジューリング情報群のうちのM個のスケジューリング情報群に基づいて少なくとも1片のダウンリンクデータを構成し、第1の伝送時間単位で第1のダウンリンクデータを第1の端末装置に送信する。これに対応して、第1の端末装置は、N個のスケジューリング情報群を決定し、N個のスケジューリング情報群に基づいて第1の伝送時間単位で第1のダウンリンクデータを検出する。このプロセスでは、第1のダウンリンクデータは少なくとも1片のダウンリンクデータを含み、少なくとも1片のダウンリンクデータは同じ情報を搬送する。したがって、第1の端末装置が第1のダウンリンクデータから1片のダウンリンクデータを正しく検出できれば、データの受信に成功したことになる。このように、第1のダウンリンクデータは、複数回の伝送と1回の検出に成功することで、正常に伝送され得るので、信頼性の高いデータ伝送が実現される。さらに、大量の制御オーバヘッドを導入することなく、PDCCH動的スケジューリングの低い信頼性が回避されるだけでなく、リンクアダプテーションも得られる。
【０１６９】
任意選択で、本発明の一実施形態では、第1のダウンリンクデータは、N個のスケジューリング情報群のうちのM個のスケジューリング情報群に基づいてネットワーク装置によって構成され、MはN以下の正の整数である。
【０１７０】
任意選択で、本発明の一実施形態では、第1のダウンリンクデータはM片のダウンリンクデータを含み、M片のダウンリンクデータは同じ情報を搬送し、N個のスケジューリング情報群に基づいて第1の伝送時間単位で第1のダウンリンクデータを検出するとき、処理モジュール21は、第1の伝送時間単位で、M個のスケジューリング情報群に示されるM個のチャネルリソースからM片のダウンリンクデータを抽出するように特に構成され、および／または処理モジュール21は、N個のスケジューリング情報群に基づいて第1の伝送時間単位で第1のダウンリンクデータを検出するとき、M個のスケジューリング情報群に示されるM個のMCSに基づいて、第1の伝送時間単位でM片のダウンリンクデータを復調するように特に構成される。
【０１７１】
任意選択で、本発明の一実施形態では、M個のスケジューリング情報群は、N個のスケジューリング情報群のうちのi番目のスケジューリング情報群を含み、i番目のスケジューリング情報群はSi個のチャネルリソースを示すか、またはi番目のスケジューリング情報群はSi個のチャネルリソースおよびSi個のMCSを示すか、またはi番目のスケジューリング情報群はSi個のチャネルリソース、Si個のMCS、およびSi個の冗長バージョンRVを示す。
【０１７２】
Siは1より大きい整数である。
【０１７３】
任意選択で、本発明の一実施形態では、第1のダウンリンクデータはSi片のダウンリンクデータを含み、処理モジュール21は、N個のスケジューリング情報群に基づいて第1の伝送時間単位で第1のダウンリンクデータを検出するときにi番目のスケジューリング情報群に基づいてSi片のダウンリンクデータを検出するように特に構成され、Si片のダウンリンクデータは同じ情報を搬送する。
【０１７４】
任意選択で、本発明の一実施形態では、第1のダウンリンクデータはSj片のダウンリンクデータをさらに含み、M個のスケジューリング情報群は、N個のスケジューリング情報群のうちのj番目のスケジューリング情報群を含み、j番目のスケジューリング情報群およびi番目のスケジューリング情報群は異なるスケジューリング情報であり、処理モジュール21は、j番目のスケジューリング情報群に基づいてSj片のダウンリンクデータを検出するように特に構成され、Sj片のダウンリンクデータは同じ情報を搬送する。
【０１７５】
Sj片のダウンリンクデータで搬送される情報は、Si片のダウンリンクデータで搬送される情報とは異なり、Sjは正の整数である。
【０１７６】
図10を参照すると、本発明のこの実施形態で提供される端末装置は、
処理モジュール21がN個のスケジューリング情報群に基づいて第1の伝送時間単位で第1のダウンリンクデータを検出する前に、ネットワーク装置によって送信されたスケジューリング情報指示シグナリングを受信し、スケジューリング情報指示シグナリングは、N個のスケジューリング情報群を指示するために使用され、スケジューリング情報指示シグナリングは、上位レイヤシグナリングまたは物理レイヤシグナリングである、ように構成されたトランシーバモジュール22をさらに含む。
【０１７７】
任意選択で、本発明の一実施形態では、トランシーバモジュール22は、処理モジュール21がN個のスケジューリング情報群に基づいて第1の伝送時間単位で第1のダウンリンクデータを検出する前に、ネットワーク装置によって送信されるダウンリンクデータ指示シグナリングを受信するように構成され、ダウンリンクデータ指示シグナリングは、第1のダウンリンクデータが第1の伝送時間内に送信されるかどうかを示すために使用される。
【０１７８】
図11は、本発明によるネットワーク装置の実施形態2の概略構成図である。本実施形態で提供されるネットワーク装置は、プロセッサ31、メモリ32、通信インタフェース33、およびシステムバス34を含む。メモリ32、通信インタフェース33、およびプロセッサ31は、システムバス34を用いて互いに接続されて通信する。メモリ32はコンピュータ実行命令を格納するように構成され、通信インタフェース33は他の装置と通信するように構成され、プロセッサ31はコンピュータ実行命令を実行するように構成され、それによってネットワーク装置は図2または任意選択の実施形態に適用されるステップを実行する。
【０１７９】
図12は、本発明による端末装置の実施形態2の概略構成図である。本実施形態で提供される端末装置は、プロセッサ41、メモリ42、通信インタフェース43、およびシステムバス44を含む。メモリ42、通信インタフェース43、およびプロセッサ41は、システムバス44を用いて互いに接続されて通信する。メモリ42はコンピュータ実行命令を格納するように構成され、通信インタフェース43は他の装置と通信するように構成され、プロセッサ41はコンピュータ実行命令を実行するように構成され、それによって端末装置は図2または任意選択の実施形態に適用されるステップを実行する。
【０１８０】
図13は、本発明によるネットワーク装置の実施形態3の概略構成図である。この実施形態で提供されるネットワーク装置は、ネットワーク装置に適用されかつ図5および本発明の任意選択の実施形態で提供される方法のステップを実施することができる。具体的な実施プロセスはここでは再度説明されない。具体的には、この実施形態で提供されるネットワーク装置は、
第1の伝送時間単位で第1のダウンリンクデータを第1の端末装置に送信するように構成されたトランシーバモジュール51であって、第1のダウンリンクデータに含まれる少なくとも1つのトランスポートブロックはスケジューリング情報を含む、トランシーバモジュール51と、
スケジューリング情報に基づいて第2のダウンリンクデータを構成するように構成された処理モジュール52とを含む。
【０１８１】
トランシーバモジュール51は、第2の伝送時間単位で第2のダウンリンクデータを第1の端末装置に送信するようにさらに構成される。
【０１８２】
第1の伝送時間単位は第2の伝送時間単位より早い。
【０１８３】
本発明のこの実施形態で提供されるネットワーク装置は、第1の伝送時間単位で第1のダウンリンクデータを第1の端末装置に送信し、第1のダウンリンクデータに含まれる少なくとも1つのトランスポートブロックはスケジューリング情報を含み、スケジューリング情報に基づいて第2のダウンリンクデータを構成し、第2の伝送時間単位で第2のダウンリンクデータを第1の端末に送信する。これに対応して、第1の端末装置は、受信した第2のダウンリンクデータを第2の伝送時間単位で復調する。このプロセスでは、ネットワーク装置は、まずスケジューリング情報を第1の端末装置に送信し、その後、スケジューリング情報に基づいて構成されたダウンリンクデータを第1の端末装置に送信し、このため、第1の端末装置は、スケジューリング情報に基づいてダウンリンクデータを検出することができ、それによって信頼性の高いデータ伝送を実現する。さらに、大量の制御オーバヘッドを導入することなく、PDCCH動的スケジューリングの低い信頼性が回避されるだけでなく、リンクアダプテーションも得られる。
【０１８４】
任意選択で、本発明の一実施形態では、第1のダウンリンクデータはA個のトランスポートブロックを含み、スケジューリング情報はA個のトランスポートブロックのうちの1つの最初のXビットまたは最後のXビットを占有するか、または
第1のダウンリンクデータは2つのトランスポートブロックを含み、スケジューリング情報は2つのトランスポートブロックのそれぞれの最初のXビットまたは最後のXビットを占有する。
【０１８５】
Xは1以上の整数であり、Aは1または2に等しい。
【０１８６】
任意選択で、本発明の一実施形態では、トランスポートブロックはスケジューリング情報指示フィールド情報をさらに含む。
【０１８７】
第1のダウンリンクデータはA個のトランスポートブロックを含み、スケジューリング情報指示フィールド情報はA個のトランスポートブロックのうちの1つの最初のYビットを占有し、スケジューリング情報はトランスポートブロックのYビットの後のXビットを占有するか、または
第1のダウンリンクデータは2つのトランスポートブロックを含み、スケジューリング情報指示フィールド情報は2つのトランスポートブロックのそれぞれの最初のYビットを占有し、スケジューリング情報は2つのトランスポートブロックのそれぞれのYビットの後のXビットを占有する。
【０１８８】
Xは1以上の整数であり、Aは1または2に等しい。
【０１８９】
任意選択で、本発明の一実施形態では、トランスポートブロック内のすべての情報に対してジョイントコーディングが実行される。
【０１９０】
任意選択で、本発明の一実施形態では、処理モジュール52は、トランシーバモジュール51が第1の伝送時間単位で第1のダウンリンクデータを第1の端末装置に送信する前にN個のスケジューリング情報群を構成し、Nは正の整数であり、N個のスケジューリング情報群のうちの1つに基づいて第1のダウンリンクデータを構成するようにさらに構成される。
【０１９１】
図14は、本発明による端末装置の実施形態3の概略構成図である。この実施形態で提供される端末装置は、端末装置に適用されかつ図5および本発明の任意選択の実施形態で提供される方法のステップを実施することができる。具体的な実施プロセスはここでは再度説明されない。具体的には、この実施形態で提供される端末装置は、
第1の伝送時間単位でネットワーク装置によって送信される第1のダウンリンクデータを受信するように構成されたトランシーバモジュール61であって、第1のダウンリンクデータに含まれる少なくとも1つのトランスポートブロックはスケジューリング情報を含む、トランシーバモジュール61と、
スケジューリング情報に基づいて第2の伝送時間単位で第2のダウンリンクデータを復調するように構成された処理モジュール62であって、第2のダウンリンクデータはスケジューリング情報に基づいてネットワーク装置によって構成される、処理モジュール62とを含む。
【０１９２】
第1の伝送時間単位は第2の伝送時間単位より早い。
【０１９３】
本発明のこの実施形態で提供される端末装置は、第1の伝送時間単位でネットワーク装置によって送信される第1のダウンリンクデータを受信し、第1のダウンリンクデータに含まれる少なくとも1つのトランスポートブロックはスケジューリング情報を含み、第2の伝送時間単位でネットワーク装置によって送信される第2のダウンリンクデータを受信し復調する。このプロセスでは、ネットワーク装置は、まずスケジューリング情報を第1の端末装置に送信し、その後、スケジューリング情報に基づいて構成されたダウンリンクデータを第1の端末装置に送信し、このため、第1の端末装置は、スケジューリング情報に基づいてダウンリンクデータを検出することができ、それによって信頼性の高いデータ伝送を実現する。さらに、大量の制御オーバヘッドを導入することなく、PDCCH動的スケジューリングの低い信頼性が回避されるだけでなく、リンクアダプテーションも得られる。
【０１９４】
任意選択で、本発明の一実施形態では、第1のダウンリンクデータはA個のトランスポートブロックを含み、スケジューリング情報はA個のトランスポートブロックのうちの1つの最初のXビットまたは最後のXビットを占有するか、または
第1のダウンリンクデータは2つのトランスポートブロックを含み、スケジューリング情報は2つのトランスポートブロックのそれぞれの最初のXビットまたは最後のXビットを占有する。
【０１９５】
Xは1以上の整数であり、Aは1または2に等しい。
【０１９６】
任意選択で、本発明の一実施形態では、第1のダウンリンクデータはA個のトランスポートブロックを含み、スケジューリング情報指示フィールド情報はA個のトランスポートブロックのうちの1つの最初のYビットを占有し、スケジューリング情報はトランスポートブロックのYビットの後のXビットを占有するか、または
第1のダウンリンクデータは2つのトランスポートブロックを含み、スケジューリング情報指示フィールド情報は2つのトランスポートブロックのそれぞれの最初のYビットを占有し、スケジューリング情報は2つのトランスポートブロックのそれぞれのYビットの後のXビットを占有する。
【０１９７】
Xは1以上の整数であり、Aは1または2に等しい。
【０１９８】
任意選択で、本発明の一実施形態では、トランスポートブロック内のすべての情報に対してジョイントコーディングが実行される。
【０１９９】
任意選択で、本発明の一実施形態では、トランシーバモジュール61は、第1の伝送時間単位で、N個のスケジューリング情報群のうちの1つに基づいてネットワーク装置によって構成された第1のダウンリンクデータを受信するように特に構成される。
【０２００】
図15は、本発明によるネットワーク装置の実施形態4の概略構成図である。この実施形態で提供されるネットワーク装置は、プロセッサ71、メモリ72、通信インタフェース73、およびシステムバス74を含む。メモリ72、通信インタフェース73、プロセッサ71は、システムバス74を用いて互いに接続されて通信する。メモリ72はコンピュータ実行命令を格納するように構成され、通信インタフェース73は他の装置と通信するように構成され、プロセッサ71はコンピュータ実行命令を実行するように構成され、それによってネットワーク装置は図5または任意選択の実施形態に適用されるステップを実行する。
【０２０１】
図16は、本発明による端末装置の実施形態4の概略構成図である。本実施形態で提供される端末装置は、プロセッサ81、メモリ82、通信インタフェース83、およびシステムバス84を含む。メモリ82、通信インタフェース83、プロセッサ81は、システムバス84を用いてい互に接続されて通信する。メモリ82はコンピュータ実行命令を格納するように構成され、通信インタフェース83は他の装置と通信するように構成され、プロセッサ81はコンピュータ実行命令を実行するように構成され、それによって端末装置は図5または任意選択の実施形態に適用されるステップを実行する。
【０２０２】
当業者は、方法の実施形態のステップのすべてまたは一部が、関連するハードウェアを指示するプログラムにより実施され得ることを理解することができる。プログラムは、コンピュータ可読記憶媒体に格納されてもよい。プログラムが実行されると、方法の実施形態のステップが実行される。前述の記憶媒体は、ROM、RAM、磁気ディスク、または光ディスクのようなプログラムコードを記憶することができる任意の媒体を含む。
【０２０３】
最後に、前述の実施形態は、本発明を制限するものではなく、本発明の技術的解決策を説明するためのものにすぎないことに留意すべきである。前述の実施形態に関連して本発明を詳細に説明したが、当業者は、本発明の実施形態の技術的解決策の範囲から逸脱することなく、前述の実施形態で説明した技術的解決策に更なる変更を加えるか、一部またはすべてのその技術的特徴に同等の置換を行うことができることを理解すべきである。
【符号の説明】
【０２０４】
11  処理モジュール
12  トランシーバモジュール
21  処理モジュール
22  トランシーバモジュール
31  プロセッサ
32  メモリ
33  通信インタフェース
34  システムバス
41  プロセッサ
42  メモリ
43  通信インタフェース
44  システムバス
51  トランシーバモジュール
52  処理モジュール
61  トランシーバモジュール
62  処理モジュール
71  プロセッサ
72  メモリ
73  通信インタフェース
74  システムバス
81  プロセッサ
82  メモリ
83  通信インタフェース
84  システムバス
UE1  第1の端末装置
UE2  第2の端末装置
【図１】
2020502874.tif 000003
【図２】
2020502874.tif 000004
【図３Ａ】
2020502874.tif 000005
【図３Ｂ】
2020502874.tif 000006
【図４Ａ】
2020502874.tif 000007
【図４Ｂ】
2020502874.tif 000008
【図４Ｃ】
2020502874.tif 000009
【図５】
2020502874.tif 000010
【図６Ａ】
2020502874.tif 000011
【図６Ｂ】
2020502874.tif 000012
【図７】
2020502874.tif 000013
【図８】
2020502874.tif 000014
【図９】
2020502874.tif 000015
【図１０】
2020502874.tif 000016
【図１１】
2020502874.tif 000017
【図１２】
2020502874.tif 000018
【図１３】
2020502874.tif 000019
【図１４】
2020502874.tif 000020
【図１５】
2020502874.tif 000021
【図１６】
2020502874.tif 000022
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
ネットワーク装置によって、N個のスケジューリング情報群を構成するステップであって、Nは正の整数である、ステップと、
前記ネットワーク装置によって、前記N個のスケジューリング情報群のうちのM個のスケジューリング情報群に基づいて第1のダウンリンクデータを構成するステップであって、前記第1のダウンリンクデータは少なくとも1片のダウンリンクデータを含み、MはN以下の正の整数である、ステップと、
前記ネットワーク装置によって、第1の伝送時間単位で前記第1のダウンリンクデータを第1の端末装置に送信するステップと
を含む、データ伝送方法。
【請求項２】
前記第1のダウンリンクデータがM片のダウンリンクデータを含み、前記M片のダウンリンクデータは同じ情報を搬送し、前記ネットワーク装置によって、前記N個のスケジューリング情報群のうちのM個のスケジューリング情報群に基づいて第1のダウンリンクデータを構成する前記ステップは、
前記ネットワーク装置によって、前記M個のスケジューリング情報群に示されるM個の変調符号化方式MCSに基づいて、前記M片のダウンリンクデータを個別に変調するステップ、および／または
前記ネットワーク装置によって、前記M片のダウンリンクデータを、前記M個のスケジューリング情報群に示されるM個のチャネルリソースにそれぞれマッピングするステップを含む、請求項1に記載の方法。
【請求項３】
前記M個のスケジューリング情報群が、前記N個のスケジューリング情報群のうちのi番目のスケジューリング情報群を含み、前記i番目のスケジューリング情報群はSi個のチャネルリソースを示すか、または前記i番目のスケジューリング情報群はSi個のチャネルリソースおよびSi個のMCSを示すか、または前記i番目のスケジューリング情報群はSi個のチャネルリソース、Si個のMCS、およびSi個の冗長バージョンRVを示し、
Siは1より大きい整数である、請求項1に記載の方法。
【請求項４】
前記第1のダウンリンクデータがSi片のダウンリンクデータを含み、前記ネットワーク装置によって、前記N個のスケジューリング情報群のうちのM個のスケジューリング情報群に基づいて第1のダウンリンクデータを構成する前記ステップは、
前記ネットワーク装置によって、前記i番目のスケジューリング情報群に基づいて前記Si片のダウンリンクデータを構成するステップであって、前記Si片のダウンリンクデータは同じ情報を搬送する、ステップを含む、請求項3に記載の方法。
【請求項５】
第1の端末装置によって、N個のスケジューリング情報群を決定するステップであって、Nは正の整数である、ステップと、
前記第1の端末装置によって、前記N個のスケジューリング情報群に基づいて第1の伝送時間単位で第1のダウンリンクデータを検出するステップであって、前記第1のダウンリンクデータは少なくとも1片のダウンリンクデータを含む、ステップと
を含む、データ伝送方法。
【請求項６】
前記第1のダウンリンクデータが、前記N個のスケジューリング情報群のうちのM個のスケジューリング情報群に基づいてネットワーク装置によって構成され、MはN以下の正の整数である、請求項5に記載の方法。
【請求項７】
前記第1のダウンリンクデータがM片のダウンリンクデータを含み、前記M片のダウンリンクデータは同じ情報を搬送し、前記第1の端末装置によって、前記N個のスケジューリング情報群に基づいて第1の伝送時間単位で第1のダウンリンクデータの検出する前記ステップは、
前記第1の伝送時間単位で前記第1の端末装置によって、前記M個のスケジューリング情報群に示されるM個のチャネルリソースから前記M片のダウンリンクデータを抽出するステップ、および／または
前記第1の端末装置によって、前記M個のスケジューリング情報群に示されるM個のMCSに基づいて、前記第1の伝送時間単位で前記M片のダウンリンクデータを復調するステップを含む、請求項6に記載の方法。
【請求項８】
N個のスケジューリング情報群を構成し、Nは正の整数であり、前記N個のスケジューリング情報群のうちのM個のスケジューリング情報群に基づいて第1のダウンリンクデータを構成し、前記第1のダウンリンクデータは少なくとも1片のダウンリンクデータを含み、MはN以下の正の整数である、ように構成された処理モジュールと、
第1の伝送時間単位で前記第1のダウンリンクデータを第1の端末装置に送信するように構成されたトランシーバモジュールと
を備える、ネットワーク装置。
【請求項９】
前記第1のダウンリンクデータがM片のダウンリンクデータを含み、前記M片のダウンリンクデータは同じ情報を搬送し、前記N個のスケジューリング情報群のうちの前記M個のスケジューリング情報群に基づいて前記第1のダウンリンクデータを構成するとき、前記処理モジュールは、前記M個のスケジューリング情報群に示されるM個の変調符号化方式MCSに基づいて、前記M片のダウンリンクデータを特に個別に変調する、および／または前記M片のダウンリンクデータを、前記M個のスケジューリング情報群に示されるM個のチャネルリソースにそれぞれマッピングする、請求項8に記載の装置。
【請求項１０】
前記M個のスケジューリング情報群が、前記N個のスケジューリング情報群のうちのi番目のスケジューリング情報群を含み、前記i番目のスケジューリング情報群はSi個のチャネルリソースを示すか、または前記i番目のスケジューリング情報群はSi個のチャネルリソースおよびSi個のMCSを示すか、または前記i番目のスケジューリング情報群はSi個のチャネルリソース、Si個のMCS、およびSi個の冗長バージョンRVを示し、
Siは1より大きい整数である、請求項8に記載の装置。
【請求項１１】
前記第1のダウンリンクデータがSi片のダウンリンクデータを含み、前記処理モジュールは、前記N個のスケジューリング情報群のうちの前記M個のスケジューリング情報群に基づいて前記第1のダウンリンクデータを構成するときに前記i番目のスケジューリング情報群に基づいて前記Si片のダウンリンクデータを特に構成し、前記Si片のダウンリンクデータは同じ情報を搬送する、請求項10に記載の装置。
【請求項１２】
端末装置であって、前記端末装置が第1の端末装置であり、前記第1の端末装置は、
N個のスケジューリング情報群を決定し、Nは正の整数であり、前記N個のスケジューリング情報群に基づいて第1の伝送時間単位で第1のダウンリンクデータを検出し、前記第1のダウンリンクデータは少なくとも1片のダウンリンクデータを含む、ように構成された処理モジュールを備える、端末装置。
【請求項１３】
前記第1のダウンリンクデータが、前記N個のスケジューリング情報群のうちのM個のスケジューリング情報群に基づいてネットワーク装置によって構成され、MはN以下の正の整数である、請求項12に記載の装置。
【請求項１４】
前記第1のダウンリンクデータがM片のダウンリンクデータを含み、前記M片のダウンリンクデータは同じ情報を搬送し、前記N個のスケジューリング情報群に基づいて前記第1の伝送時間単位で前記第1のダウンリンクデータを検出するとき、前記処理モジュールは、前記第1の伝送時間単位で、前記M個のスケジューリング情報群に示されるM個のチャネルリソースから前記M片のダウンリンクデータを抽出するように特に構成され、および／または前記処理モジュールは、前記M個のスケジューリング情報群に示されるM個のMCSに基づいて、前記第1の伝送時間単位で前記M片のダウンリンクデータを復調するように特に構成される、請求項13に記載の装置。
【請求項１５】
プロセッサ、メモリ、および、通信インタフェース、を備えたコンピュータにおいて実行されたときに、請求項1から7のいずれか一項に記載の方法を実行する、コンピュータプログラム。
【手続補正２】
【補正対象書類名】明細書
【補正対象項目名】０００１
【補正方法】変更
【補正の内容】
【０００１】
後述の実施形態は、例えば、通信技術に関し、更に、例えば、データ伝送方法、ネットワーク装置、および端末装置に関する。
【手続補正３】
【補正対象書類名】明細書
【補正対象項目名】０００５
【補正方法】変更
【補正の内容】
【０００５】
後述の実施形態は、例えば、データ伝送方法、ネットワーク装置、および端末装置に関する。
【手続補正４】
【補正対象書類名】明細書
【補正対象項目名】０００６
【補正方法】変更
【補正の内容】
【０００６】
以下の記載は本願／本発明の範囲を限定もしくは制限するものではない。
第1の態様によれば、本発明の一実施形態はデータ伝送方法を提供する。方法は、ネットワーク装置の観点から説明され、方法は、ネットワーク装置によって、端末装置群の要件に基づいてN個のスケジューリング情報群を構成し、N個のスケジューリング情報群のうちのM個のスケジューリング情報群に基づいて少なくとも1片のダウンリンクデータを構成し、第1の伝送時間単位で第1のダウンリンクデータを第1の端末装置に送信するステップと、これに対応して、第1の端末装置によって、N個のスケジューリング情報群を決定するステップと、N個のスケジューリング情報群に基づいて第1の伝送時間単位で第1のダウンリンクデータを検出するステップと、を含む。
【手続補正５】
【補正対象書類名】明細書
【補正対象項目名】００７２
【補正方法】変更
【補正の内容】
【００７２】
本発明の実施形態で提供されるデータ伝送方法、ネットワーク装置、および端末装置によれば、ネットワーク装置は、端末装置群の要件に基づいてN個のスケジューリング情報群を構成し、N個のスケジューリング情報群のうちのM個のスケジューリング情報群に基づいて少なくとも1片のダウンリンクデータを構成し、第1の伝送時間単位で第1のダウンリンクデータを第1の端末装置に送信する。これに対応して、第1の端末装置は、N個のスケジューリング情報群を決定し、N個のスケジューリング情報群に基づいて第1の伝送時間単位で第1のダウンリンクデータを検出する。このプロセスでは、第1のダウンリンクデータは少なくとも1片のダウンリンクデータを含み、少なくとも1片のダウンリンクデータは同じ情報を搬送する。したがって、第1の端末装置が第1のダウンリンクデータから1片のダウンリンクデータを正しく検出できれば、データの受信に成功したことになる。このように、第1のダウンリンクデータは、複数回の伝送と1回の検出に成功することで、正常に伝送され得るので、信頼性の高いデータ伝送が実現される。さらに、大量の制御オーバヘッドを導入することなく、PDCCH動的スケジューリングの低い信頼性が回避されるだけでなく、リンクアダプテーションも得られる。
以上の記載は本願／本発明の範囲を限定もしくは制限するものではない。
【手続補正６】
【補正対象書類名】明細書
【補正対象項目名】００７４
【補正方法】変更
【補正の内容】
【００７４】
以下の開示は例示であり、このため、本発明の範囲は以下の開示に限定、制限されるものではない。
本発明の明細書、特許請求の範囲、および添付図面において、「第1」、「第2」、「第3」、「第4」等（もしあれば）の用語は類似のオブジェクトを区別することを意図しているが、必ずしも特定の順序または配列を示すものではない。そのように言及されたデータは、本明細書に記載された本発明の実施形態が、本明細書に図示または記載された順序以外の順序で実施され得るように、適切な状況において交換可能であることを理解されたい。さらに、用語「含む（include、contain）」および任意の他の変形は、非排他的な包含をカバーすることを意味し、例えば、ステップまたはユニットの列挙を含むプロセス、方法、システム、製品、または装置が、それらのユニットに必ずしも限定されないが、そのようなプロセス、方法、システム、製品、または装置に明確に列挙されていないまたは固有でない他のユニットを含んでもよい。
【国際調査報告】
2020502874.tif 000023
2020502874.tif 000024
2020502874.tif 000025
2020502874.tif 000026